(57)【要約】【課題】バーストカッティングエリアに記録するデータの高記録密度化。【解決手段】４−１変調により記録媒体に対して記録されるべきデータとしては、２データビットの論理値に応じたマークパターンによる４チャネルビットのデータ部と１チャネルビットのギャップ部とから成る５チャネルビットによりワード単位を形成する。あるいは、４チャネルビットのデータ部のみから成るワード単位（但し、この場合には、チャネルビットに対するマークデューティ比が１００％未満の所定値を有するものとされる）を形成することとする。【選択図】        図５
2004362649.tif 000002
【特許請求の範囲】
【請求項１】
２データビットが、その論理値に応じて４チャネルビットのうちの所定位置のチャネルビットに対して論理値１としてのマークが割り当てられたデータ部と、マークが割り当てられない１チャネルビットのギャップ部とから成るワード単位に変調されており、この変調により得られた１以上の上記ワード単位を含むデータ列が記録される、
ことを特徴とする記録媒体。
【請求項２】
上記データ列は、所定のチャネルビット数によるフレームシンクが先頭に配置されるフレーム単位により記録されており、
上記フレームシンクは、通常の上記データ列において出現しないとされる上記マークの出現パターンを有して記録されている、
ことを特徴とする請求項１に記載の記録媒体。
【請求項３】
上記フレームシンクは、
上記データ列において出現する所定の１つ目のマークと、該１つ目のマークの次に出現する２つ目のマークとについて、通常の上記データ列の場合における出現範囲よりも大きいものとして設定された出現パターンを有して記録されている、
ことを特徴とする請求項２に記載の記録媒体。
【請求項４】
上記フレームシンクを形成する所定数のチャンネルビットの範囲内において、
上記１つ目のマークから２つ目のマークまでのチャネルビットの範囲外に位置する所定の複数のチャネルビットに対して、所定規則に従って、上記マークの出現パターンが変更されるようにして記録されている、
ことを特徴とする請求項３に記載の記録媒体。
【請求項５】
上記フレームシンクは、
上記データ列において出現する所定の１つ目のマークと、該１つ目のマークの次に出現する２つ目のマークと、該２つ目のマークの次に出現する３つ目のマークとについて、
通常の上記データ列の場合における最小出現範囲よりも小さいものとして設定された出現パターンを有して記録されている、
ことを特徴とする請求項２に記載の記録媒体。
【請求項６】
上記フレームシンクを形成する所定数のチャンネルビットの範囲内において、
上記１つ目のマークから３つ目のマークまでのチャネルビットの範囲内において、所定規則に従って、上記２つ目のマークのチャンネルビット位置が変更されるようにして記録されている、
ことを特徴とする請求項５に記載の記録媒体。
【請求項７】
上記フレームシンクは、
通常の上記データ列において出現しないとされる上記マークの出現パターンを有するシンクボディとしての所定数のチャネルビットの領域と、１以上の上記ワード単位の領域とにより形成されるようにして記録されている、
ことを特徴とする請求項２に記載の記録媒体。
【請求項８】
入力されたデータについて、２データビット単位ごとに、該２データビットの論理値に応じて４チャネルビットのうちの所定位置のチャネルビットに対して論理値１を割り当てたデータ部と、論理値１を割り当てない１チャネルビットのギャップ部とから成るワード単位に変調する変調手段と、
上記変調手段により変調して得られた上記ワード単位によるデータ列を、上記論理値１がマークとなるようにして記録媒体に記録する記録手段と、
を備えることを特徴とする記録装置。
【請求項９】
上記変調手段は、
上記ワード単位によるデータ列における所定チャネルビット間隔ごとに、所定のチャネルビット数によるフレームシンクを先頭に配置したフレーム単位を形成すると共に、
上記フレームシンクについて、通常のワード単位によるデータ列において出現しないとされる所定の上記マークの出現パターンとなるように形成する、
ことを特徴とする請求項８に記載の記録装置。
【請求項１０】
入力されたデータについて、２データビット単位ごとに、該２データビットの論理値に応じて４チャネルビットのうちの所定位置のチャネルビットに対して論理値１を割り当てたデータ部と、論理値１を割り当てない１チャネルビットのギャップ部とから成るワード単位に変調する変調手順と、
上記変調手順により得られた上記ワード単位によるデータ列を、上記論理値１がマークとなるようにして記録媒体に記録する記録手順と、
を実行することを特徴とする記録方法。
【請求項１１】
上記変調手順は、
上記ワード単位によるデータ列における所定チャネルビット間隔ごとに、所定のチャネルビット数によるフレームシンクを先頭に配置したフレーム単位を形成すると共に、
上記フレームシンクについて、通常のワード単位によるデータ列において出現しないとされる所定の上記マークの出現パターンとなるように形成する、
ことを特徴とする請求項１０に記載の記録方法。
【請求項１２】
２データビットが、その論理値に応じて４チャネルビットのうちの所定位置のチャネルビットに対して論理値１としてのマークが割り当てられたデータ部と、マークが割り当てられない１チャネルビットのギャップ部とから成るワード単位に変調されており、この変調により得られた１以上の上記ワード単位を含むデータ列が記録される記録媒体から、上記データ列の読み出しを行う読み出し手段と、
上記読み出し手段により読み出されたデータ列について、上記ワード単位を形成するデータ部のマークパターンを、２データビットの論理値に変換していくようにして復調する復調手段と、
を備えることを特徴とする再生装置。
【請求項１３】
上記記録媒体において、上記データ列は、所定のチャネルビット数によるフレームシンクが先頭に配置されるフレーム単位により記録されており、
上記復調手段は、上記通常の上記データ列において出現しないとされる所定の上記マークの出現パターンを上記データ列から検出することで、フレームシンクを検出するようにされている、
ことを特徴とする請求項１２に記載の再生装置。
【請求項１４】
２データビットが、その論理値に応じて４チャネルビットのうちの所定位置のチャネルビットに対して論理値１としてのマークが割り当てられたデータ部と、マークが割り当てられない１チャネルビットのギャップ部とから成るワード単位に変調されており、この変調により得られた１以上の上記ワード単位を含むデータ列が記録される記録媒体から、上記データ列の読み出しを行う読み出し手順と、
上記読み出し手順により読み出されたデータ列について、上記ワード単位を形成するデータ部のマークパターンを、２データビットの論理値に変換していくようにして復調する復調手順と、
を備えることを特徴とする再生方法。
【請求項１５】
上記記録媒体において、上記データ列は、所定のチャネルビット数によるフレームシンクが先頭に配置されるフレーム単位により記録されており、
上記復調手順は、上記通常の上記データ列において出現しないとされる所定の上記マークの出現パターンを上記データ列から検出することで、フレームシンクを検出するようにされている、
ことを特徴とする請求項１４に記載の再生方法。
【請求項１６】
２データビットが、その論理値に応じて４チャネルビットのうちの所定位置のチャネルビットに対して論理値１としてのマークが割り当てられて成るワード単位に変調されており、この変調により得られた１以上の上記ワード単位を含むデータ列が記録され、上記マークのチャネルビットに対するデューティ比が１００％未満の所定値となるようにして記録されている、
ことを特徴とする記録媒体。
【請求項１７】
上記データ列は、所定のチャネルビット数によるフレームシンクが先頭に配置されるフレーム単位により記録されており、
上記フレームシンクは、通常の上記データ列において出現しないとされる上記マークの出現パターンを有して記録されている、
ことを特徴とする請求項１６に記載の記録媒体。
【請求項１８】
上記フレームシンクは、
上記データ列において出現する所定の１つ目のマークと、該１つ目のマークの次に出現する２つ目のマークとについて、通常の上記データ列の場合における出現範囲よりも大きいものとして設定された出現パターンを有して記録されている、
ことを特徴とする請求項１７に記載の記録媒体。
【請求項１９】
上記フレームシンクを形成する所定数のチャンネルビットの範囲内において、
上記１つ目のマークから２つ目のマークまでのチャネルビットの範囲外に位置する所定の複数のチャネルビットに対して、所定規則に従って、上記マークの出現パターンが変更されるようにして記録されている、
ことを特徴とする請求１８に記載の記録媒体。
【請求項２０】
上記フレームシンクは、
上記データ列において出現する所定の１つ目のマークと、該１つ目のマークの次に出現する２つ目のマークと、該２つ目のマークの次に出現する３つ目のマークとについて、
通常の上記データ列の場合における最小出現範囲よりも小さいものとして設定された出現パターンを有して記録されている、
ことを特徴とする請求項１７に記載の記録媒体。
【請求項２１】
上記フレームシンクを形成する所定数のチャンネルビットの範囲内において、
上記１つ目のマークから３つ目のマークまでのチャネルビットの範囲内において、所定規則に従って、上記２つ目のマークのチャンネルビット位置が変更されるようにして記録されている、
ことを特徴とする請求項２０に記載の記録媒体。
【請求項２２】
上記フレームシンクは、
通常の上記データ列において出現しないとされる上記マークの出現パターンを有するシンクボディとしての所定数のチャネルビットの領域と、１以上の上記ワード単位の領域とにより形成されるようにして記録されている、
ことを特徴とする請求項１７に記載の記録媒体。
【請求項２３】
入力されたデータについて、２データビット単位ごとに、該２データビットの論理値に応じて４チャネルビットのうちの所定位置のチャネルビットに対して論理値１を割り当てて成るワード単位に変調する変調手段と、
上記変調手段により変調して得られた上記ワード単位によるデータ列を、上記論理値１がマークとなるようにするとともに、上記マークのチャネルビットに対するデューティ比が１００％未満の所定値となるようにして、記録媒体に記録する記録手段と、
を備えることを特徴とする記録装置。
【請求項２４】
上記変調手段は、
上記ワード単位によるデータ列における所定チャネルビット間隔ごとに、所定のチャネルビット数によるフレームシンクを先頭に配置したフレーム単位を形成すると共に、
上記フレームシンクについて、通常のワード単位によるデータ列において出現しないとされる所定の上記マークの出現パターンとなるように形成する、
ことを特徴とする請求項２３に記載の記録装置。
【請求項２５】
入力されたデータについて、２データビット単位ごとに、該２データビットの論理値に応じて４チャネルビットのうちの所定位置のチャネルビットに対して論理値１を割り当てて成るワード単位に変調する変調手順と、
上記変調手順により変調して得られた上記ワード単位によるデータ列を、上記論理値１がマークとなるようにするとともに、上記マークのチャネルビットに対するデューティ比が１００％未満の所定値となるようにして、記録媒体に記録する記録手順と、
を実行することを特徴とする記録方法。
【請求項２６】
上記変調手順は、
上記ワード単位によるデータ列における所定チャネルビット間隔ごとに、所定のチャネルビット数によるフレームシンクを先頭に配置したフレーム単位を形成すると共に、
上記フレームシンクについて、通常のワード単位によるデータ列において出現しないとされる所定の上記マークの出現パターンとなるように形成する、
ことを特徴とする請求項２５に記載の記録方法。
【請求項２７】
２データビットが、その論理値に応じて４チャネルビットのうちの所定位置のチャネルビットに対して論理値１としてのマークが割り当てられて成るワード単位に変調されており、この変調により得られた１以上の上記ワード単位を含むデータ列が、上記マークのチャネルビットに対するデューティ比が１００％未満の所定値となるようにして記録されている記録媒体から、上記データ列の読み出しを行う読み出し手段と、
上記読み出し手段により読み出されたデータ列について、上記ワード単位のマークパターンを、２データビットの論理値に変換していくようにして復調する復調手段と、
を備えることを特徴とする再生装置。
【請求項２８】
上記記録媒体において、上記データ列は、所定のチャネルビット数によるフレームシンクが先頭に配置されるフレーム単位により記録されており、
上記復調手段は、上記通常の上記データ列において出現しないとされる所定の上記マークの出現パターンを上記データ列から検出することで、フレームシンクを検出するようにされている、
ことを特徴とする請求項２７に記載の再生装置。
【請求項２９】
２データビットが、その論理値に応じて４チャネルビットのうちの所定位置のチャネルビットに対して論理値１としてのマークが割り当てられて成るワード単位に変調されており、この変調により得られた１以上の上記ワード単位を含むデータ列が、上記マークのチャネルビットに対するデューティ比が１００％未満の所定値となるようにして記録されている記録媒体から、上記データ列の読み出しを行う読み出し手順と、
上記読み出し手順により読み出されたデータ列について、上記ワード単位のマークパターンを、２データビットの論理値に変換していくようにして復調する復調手順と、
を実行することを特徴とする再生方法。
【請求項３０】
上記記録媒体において、上記データ列は、所定のチャネルビット数によるフレームシンクが先頭に配置されるフレーム単位により記録されており、
上記復調手順は、上記通常の上記データ列において出現しないとされる所定の上記マークの出現パターンを上記データ列から検出することで、フレームシンクを検出するようにされている、
ことを特徴とする請求項２９に記載の再生方法。
【発明の詳細な説明】
【０００１】
【発明の属する技術分野】
本発明は、記録媒体と、この記録媒体に対して情報を記録するための記録装置及び記録方法と、記録媒体に記録された情報を再生するための再生装置及び再生方法に関する。
【０００２】
【従来の技術】
デジタルデータを記録・再生するための技術として、例えば、ＣＤ（Ｃｏｍｐａｃｔ  Ｄｉｓｋ），ＭＤ（Ｍｉｎｉ−Ｄｉｓｋ），ＤＶＤ（Ｄｉｇｉｔａｌ  Ｖｅｒｓａｔｉｌｅ  Ｄｉｓｋ）などの、光学ディスク状記録媒体（光磁気ディスクを含む）を記録メディアに用いたデータ記録技術がある。光学ディスク状記録媒体（以下、単に光ディスク）ともいう）とは、金属薄板等による信号層をプラスチックで保護した円盤として形成される。そして、この信号層に対してレーザ光を照射し、その反射光の変化により、記録されている周回状のトラックに記録される信号を読み取る記録メディアの総称である。
光ディスクには、例えばＣＤ、ＣＤ−ＲＯＭ、ＤＶＤ−ＲＯＭなどとして知られているように再生専用タイプのものと、ＭＤ、ＣＤ−Ｒ、ＣＤ−ＲＷ、ＤＶＤ−Ｒ、ＤＶＤ−ＲＷ、ＤＶＤ＋ＲＷ、ＤＶＤ−ＲＡＭ、ブルーレイディスク（Ｂｌｕ−ｒａｙ  Ｄｉｓｃ）などで知られているようにユーザーデータが記録可能なタイプがある。記録可能タイプのものは、光磁気記録方式、相変化記録方式、色素膜変化記録方式などが利用されることで、データが記録可能とされる。色素膜変化記録方式はいわゆる追記型であり、一度だけデータ記録が可能で書換不能であるため、データ保存用途などに好適とされる。一方、光磁気記録方式や相変化記録方式はデータの書換が可能であり、音楽、映像、ゲーム、アプリケーションプログラム等の各種コンテンツデータの記録を始めとして各種用途に利用される。
【０００３】
そして、例えば上記したＤＶＤ系、及びブルーレイディスクなどでは、通常のデータとしての信号が記録されるデータエリア以外の記録領域として、いわゆるバーストカッティングエリア（ＢＣＡ：Ｂｕｒｓｔ  Ｃｕｔｔｉｎｇ  Ａｒｅａ）を形成するようにしている。
このバーストカッティングエリアは、周知のようにして、例えばディスクのリードインエリアよりもさらに内周において、円周方向に沿ってバーコード状の縞模様が形成されており、このバーコードにより所定内容の情報が記録されている。
【０００４】
このようにして形成されるバーストカッティングエリアには、例えばデータエリアに記録されるデータの著作権保護を目的として、ディスクごとに固有となる識別子（ディスクＩＤ）や、データエリアに記録された暗号化データの暗号を解読するための暗号鍵などの情報が記録される。つまり、再生時においては、これらのディスクＩＤや暗号鍵の情報を利用して再生するようにされており、これにより、例えば不正コピーなどが防止される。
【０００５】
そして、このようなバーストカッティングエリアに記録されるデータについては、いわゆる４−１変調したデータを記録することが知られている（例えば特許文献１、図１３参照）。
４−１変調とは、基本的に、２データビットとしての論理値を４チャンネルビットのデータ単位に変換したものである。２データビットによっては、４パターンの論理値が得られるのであるが、この論理値に対応させて、４チャンネルビットのうちの所定のビット位置に論理値１をセットするようにされる。、また、特許文献１に記載される４−１変調では、上記した４チャンネルビットのデータ単位をデータ部としたうえで、このデータ部の前方に対して、［０１０］の論理パターンを有する３チャネルビットによる同期パターンを配置するようにしている。
つまり、特許文献１に記載される４−１変調にあっては、２データビットが、３チャネルビットの同期パターンと、４チャンネルビットのデータ部とによる７チャネルビットにより形成されるようにして符号化されているということがいえる。
【０００６】
【特許文献１】
特開２００３−１０００３１号公報
【０００７】
【発明が解決しようとする課題】
ところで、バーストカッティングエリアは、前述もしているようにディスクのリードインエリアよりもさらに内周に形成される領域である。従って、バーストカッティングエリアとして利用可能な円周方向における物理的長さ、つまり、物理的な記録容量は、データエリアと比較して相当に限定されているということがいえる。
従って、このようにして、物理的な記録容量が限定されているバーストカッティングエリアに対して、これまでよりも多くの情報量も記録可能とするためには、バーストカッティングエリアの高記録密度化が図られることが要求される。
【０００８】
また、近年においては、記録媒体の高記録密度化が進んだことで、物理的な記録領域サイズを縮小しても、実用上充分な記録容量が得られるようになってきたために、記録媒体の小型化も要求されている状況にある。
しかしながら、光ディスクを小型化しようとすれば、その半径サイズを小型化していくことになるので、バーストカッティングエリアとしての記録領域までの半径の長さも短くなる。そして、これによっては、バーストカッティングエリアとして利用可能な円周方向における長さも短くなるから、バーストカッティングエリアの物理的な記録容量としても、その分小さくなってしまう。ここで、バーストカッティングエリアにおける高記録密度化が進められなければ、バーストカッティングエリアに記録可能な情報量は、光ディスクの半径サイズが小型化されるのにほぼ比例するようにして少なくなってしまう。この点でも、バーストカッティングエリアの高記録密度化が高められることが求められている。
【０００９】
【課題を解決するための手段】
そこで本発明は上記した課題を考慮して、記録媒体として次のように構成する。
つまり、２データビットが、その論理値に応じて４チャネルビットのうちの所定位置のチャネルビットに対して論理値１としてのマークが割り当てられたデータ部と、マークが割り当てられない１チャネルビットのギャップ部とから成るワード単位に変調されており、この変調により得られた１以上の上記ワード単位を含むデータ列が記録されるものとして構成する。
【００１０】
また、記録装置として、入力されたデータについて、２データビット単位ごとに、該２データビットの論理値に応じて４チャネルビットのうちの所定位置のチャネルビットに対して論理値１を割り当てたデータ部と、論理値１を割り当てない１チャネルビットのギャップ部とから成るワード単位に変調する変調手段と、この変調手段により変調して得られたワード単位によるデータ列を、論理値１がマークとなるようにして記録媒体に記録する記録手段とを備えて構成する。
【００１１】
また、記録方法として、入力されたデータについて、２データビット単位ごとに、該２データビットの論理値に応じて４チャネルビットのうちの所定位置のチャネルビットに対して論理値１を割り当てたデータ部と、論理値１を割り当てない１チャネルビットのギャップ部とから成るワード単位に変調する変調手順と、この変調手順により得られたワード単位によるデータ列を論理値１がマークとなるようにして記録媒体に記録する記録手順とを実行するようにして構成する。
【００１２】
また、再生装置として、２データビットが、その論理値に応じて４チャネルビットのうちの所定位置のチャネルビットに対して論理値１としてのマークが割り当てられたデータ部と、マークが割り当てられない１チャネルビットのギャップ部とから成るワード単位に変調されており、この変調により得られた１以上の上記ワード単位を含むデータ列が記録される記録媒体から、上記データ列の読み出しを行う読み出し手段と、この読み出し手段により読み出されたデータ列について、上記ワード単位を形成するデータ部のマークパターンを、２データビットの論理値に変換していくようにして復調する復調手段とを備えて構成する。
【００１３】
また、再生方法として、２データビットが、その論理値に応じて４チャネルビットのうちの所定位置のチャネルビットに対して論理値１としてのマークが割り当てられたデータ部と、マークが割り当てられない１チャネルビットのギャップ部とから成るワード単位に変調されており、この変調により得られた１以上の上記ワード単位を含むデータ列が記録される記録媒体から、データ列の読み出しを行う読み出し手順と、この読み出し手順により読み出されたデータ列について、ワード単位を形成するデータ部のマークパターンを、２データビットの論理値に変換していくようにして復調する復調手順とを実行するようにして構成する。
【００１４】
また、記録媒体として、２データビットが、その論理値に応じて４チャネルビットのうちの所定位置のチャネルビットに対して論理値１としてのマークが割り当てられて成るワード単位に変調されており、この変調により得られた１以上の上記ワード単位を含むデータ列が記録され、上記マークのチャネルビットに対するデューティ比が１００％未満の所定値となるようにして記録されるようにして構成する。
【００１５】
また、記録装置として、入力されたデータについて、２データビット単位ごとに、該２データビットの論理値に応じて４チャネルビットのうちの所定位置のチャネルビットに対して論理値１を割り当てて成るワード単位に変調する変調手段と、この変調手段により変調して得られたワード単位によるデータ列を、上記論理値１がマークとなるようにするとともに、マークのチャネルビットに対するデューティ比が１００％未満の所定値となるようにして、記録媒体に記録する記録手段とを備えて構成する。
【００１６】
また、記録方法として、入力されたデータについて、２データビット単位ごとに、該２データビットの論理値に応じて４チャネルビットのうちの所定位置のチャネルビットに対して論理値１を割り当てて成るワード単位に変調する変調手順と、この変調手順により変調して得られたワード単位によるデータ列を、論理値１がマークとなるようにするとともに、マークのチャネルビットに対するデューティ比が１００％未満の所定値となるようにして記録媒体に記録する記録手順とを実行するようにして構成する。
【００１７】
また、再生装置として、２データビットが、その論理値に応じて４チャネルビットのうちの所定位置のチャネルビットに対して論理値１としてのマークが割り当てられて成るワード単位に変調されており、この変調により得られた１以上の上記ワード単位を含むデータ列が、マークのチャネルビットに対するデューティ比が１００％未満の所定値となるようにして記録されている記録媒体から、データ列の読み出しを行う読み出し手段と、この読み出し手段により読み出されたデータ列について、ワード単位のマークパターンを、２データビットの論理値に変換していくようにして復調する復調手段とを備えて構成する。
【００１８】
また、再生方法として、２データビットが、その論理値に応じて４チャネルビットのうちの所定位置のチャネルビットに対して論理値１としてのマークが割り当てられて成るワード単位に変調されており、この変調により得られた１以上の上記ワード単位を含むデータ列が、マークのチャネルビットに対するデューティ比が１００％未満の所定値となるようにして記録されている記録媒体から、データ列の読み出しを行う読み出し手順と、この読み出し手順により読み出されたデータ列について、上記ワード単位のマークパターンを、２データビットの論理値に変換していくようにして復調する復調手順とを実行するようにして構成する。
【００１９】
上記各構成によると、記録媒体に対して記録再生される情報としては、ワード単位によるデータ列が記録されるのであるが、このデータ列を成すワード単位は、２データビットの論理値に応じて４チャネルビットのうちの所定位置のチャネルビットに対して、論理値１に対応するマークが割り当てられるデータ部と、マークが割り当てられない１チャネルビットのギャップ部とにより形成される。あるいは、ワード単位は、２データビットの論理値に応じて所定位置のチャネルビットに対して論理値１に対応するマークが割り当てられる４チャネルビット（つまりデータ部のみである）から成る。
この場合、上記各データ部は、いわゆる４−１変調の変調規則によって、２データビットを４チャンネルビットに変換して得られるものである。
つまり、２データビット単位を４−１変調して得られるワード単位としては、４チャネルビット（データ部）＋１チャネルビット（ギャップ部）＝５チャネルビット、あるいは４チャネルビットのみにより形成されていることになる。
【００２０】
【発明の実施の形態】
以下、本発明の実施の形態について説明を行う。以降の説明は次の順序で行う。
１．ディスク構造
２．４−１変調（先行技術）
２−１．４−１変調規則
２−２．フレームシンク（第１例）
３．４−１変調（第１の実施の形態）
３−１．４−１変調規則
３−２．フレームシンク
４．バーストカッティングエリアのデータ構造
５．４−１変調（第２の実施の形態）
５−１．４−１変調規則
５−２．フレームシンク
６．バーストカッティングエリア記録装置
７．ビデオカメラ装置（データ記録再生装置）
【００２１】
１．ディスク構造
先ず、本実施の形態としての記録媒体である、光学ディスク状記録媒体（以下、単にディスクともいう）のエリア構造及び信号面の物理的構造について説明する。
なお、本発明に対応するディスクとしては、再生専用タイプであっても良いし、また、少なくともユーザデータについて、追記又は書き換えが可能なタイプであってもよい。ただし、以降においては、説明の便宜上、本実施の形態の光ディスクとしては、書き換え可能なタイプであることを前提として説明を行うこととする。
【００２２】
図１には、本実施の形態に対応するディスク１のエリア構造が示されている。この図に示すディスクは、規格により定められた所定の半径を有するディスク形状を有しており、内周側から、バーストカッティングエリア（ＢＣＡ：Ｂｕｒｓｔ  Ｃｕｔｔｉｎｇ  Ａｒｅａ）２、データエリア３が示されている。
データエリア３は、例えば相変化方式に対応した信号記録層に対して、グルーブ記録方式、ランド記録方式、若しくはランド／グルーブ記録方式の何れかによる所定方式によって、例えばＡＶコンテンツなどのユーザデータが書き換え可能に記録される。
つまりディスク上には予めグルーブ（溝）、ランドが周回状に形成され、このグルーブ或いはランドの何れか一方、或いは、グルーブ及びランドの両者を記録トラックとして、相変化方式により記録が行われる。
【００２３】
なお、ここでは図示していないが、データエリア３の最内周と最外周には、それぞれ、リードインエリアとリードアウトエリアが設けられている。リードインエリアには、各種の管理情報が記録され、また、いわゆる試し書きによる記録が行われる。また、リードアウトエリアにも管理情報を記録することができる。
【００２４】
バーストカッティングエリア２は、上記リードインエリアのさらに内周に位置する情報記録領域であり、円周方向に沿ってバーコード形態により情報が記録される領域である。記録動作例については後述するが、このバーストカッティングエリア２には書き換え不可のＲＯＭ形式によりデータが記録される。そしてこのバーストカッティングエリア２には、例えば、ディスクごとに固有となるディスクＩＤや、データエリアに記録された、暗号化が施されたユーザデータの暗号化を解くための暗号鍵の情報などが記録される。
例えば再生装置では、これらのディスクＩＤや暗号鍵の情報を利用して、再生許可／禁止を設定すると共に、ユーザデータの暗号化を解いて再生を行うようにされる。つまり、バーストカッティングエリア２に記録される情報は、データエリア３に記録されるユーザデータ（主データ）に対応する補助データとして、ユーザデータとしてのコンテンツについての著作権保護のための情報を記録するようにしている。
なお、この図１においては、バーストカッティングエリア２は、所定の内周角に応じた円弧状となるようにして形成されているが、例えば、全周にわたって形成するようにしてもよい。
【００２５】
２．４−１変調（先行技術）
２−１．４−１変調規則
上記ディスク１のバーストカッティングエリア２には、バーコード形態による記録に適合しているとされる、いわゆる４−１変調といわれる変調方式（符号化方式）により変調（符号化）されたデータが記録される。
本実施の形態としての４−１変調について説明するのに先立ち、先に本出願人が提案した先行技術としての４−１変調について説明しておくこととする。この先行技術としての４−１変調は、例えば特開２００３−１０００３１号公報に記載されている。
【００２６】
図２は、先行技術としての４−１変調規則を示している。つまり、変調元となるソースデータと、４−１変調による符号化後の論理値のパターンが示されている。
４−１変調の基本的概念としては、２データビットによる論理値を、４チャネルビットにより表現する。そのうえで、先行技術による４−１変調パターンとしては、この２データビットを表現する４チャネルビットの領域がデータ部とされている。
【００２７】
ここで、２データビットとしてのソースデータは、
”００”
”０１”
”１０”
”１１”
という４つの論理値を有する。そこで、４−１変調パターンのデータ部としては、これに対応して４チャネルビットとする。そして、２データビットの論理値に応じて、データ部における４チャネルビットにおいて論理値”１”を設定すべきビット位置を択一的に選択するようにされる。
なお、実際の４−１変調されたデータ列をバーストカッティングエリア２に記録した場合、４−１変調されたデータ列において論理値”１”に対応する部分がいわゆる物理的なマークとなる。そこで、以降において、４−１変調後のデータ列において、論理値”１”が設定されるチャネル（チャネルビット位置）については「マーク」ともいう。
【００２８】
そして、変調規則として、上記２データビットの各論理値は、例えば、それぞれ次のようにして表現することとしている。
つまり、
”２データビットの論理値”→”データ部の論理値パターン（マークパターン）”の対応関係として、
”００”→”１０００”
”０１”→”０１００”
”１０”→”００１０”
”１１”→”０００１”
とするものである。
【００２９】
また、同期パターンは３チャネルビットとされ、この３チャネルビットのうちのいずれかのビット位置について論理値”１”を設定し、残りのビット位置については論理値”０”を設定するようにしている。この場合には、３チャネルビットのうちの２番目のビット位置に論理値”１”を設定していることで、マークパターンとしては”０１０”となる。
そして、上記したデータ部の前に対して、この同期パターンを置くようにしている。この同期パターンのマークパターンは、後ろのデータ部のマークパターンにかかわらず固定となる。
【００３０】
つまり、先行技術としての４−１変調方式は、２データビット単位を、３チャネルビット（同期パターン）＋４チャネルビット（データ部）＝７チャネルビットに変調するものとされる。そして、このような４−１変調により得られた７チャネルビットの４−１変調パターンが、１ワード（ｗｏｒｄ）分の単位となる。”０１０”のマークパターンを有する同期パターンは、このワードごとの区切りの認識に利用されるものとなる。
【００３１】
２−２．フレームシンク（第１例）
また、後述するようにして、バーストカッティングエリアに記録されるデータは、フレーム単位により記録されるべきこととなっており、フレームの先頭には、フレームの開始位置を示すためのフレームシンクを配置すべきこととされている。
そして、上記図２に示した４−１変調方式に対応したフレームシンクのシンクパターンは次のようにして設定されている。
【００３２】
フレームシンクとしては、フレーム内において他の通常の４−１変調データ列とは異なるとされるマークパターンを有している必要がある。つまり、通常の４−１変調により得られるマークパターンの規則に違反したマークパターンを有する必要がある。
ここで、図２に示した４−１変調パターンとしては、各ワードにおけるデータ部のマーク位置は、変調前の２データビットの論理値に応じて変化するのに対して、同期パターンは、”０１０”で固定である。
そこで、ワードのシーケンス上における同期パターンのマークに着目してみると、この同期パターンのマークは、ワードのシーケンスにおいて出現するマークのうちで１つおきに出現し、かつ、その出現間隔は、［７］で固定であることになる。
【００３３】
このことから、上記した「１つおきに出現するマークが、常に［７］の出現間隔を有する」という規則性を崩したマークパターンとすれば、、フレームシンクのマークパターン、つまり、シンクパターンが得られることになる。
【００３４】
このことを根拠して、先行技術では、図３（ａ）に示すようにして、フレームシンク（Ｆｒａｍｅ  Ｓｙｎｃ）としては、１つおきにマークが出現する間隔が、［８，５，６］とされ、１つおきのマーク出現間隔として［７］を有していないシンクボディＡ（Ｓｙｎｃ  Ｂｏｄｙ  Ａ）を設けることとしている。このＳｙｎｃ  Ｂｏｄｙ  Ａは、２ワード（１７チャネルビット）を有し、そのパターンとしては、”０１００００１００１０１０００”となっている。
【００３５】
また、図３（ｂ）に示すようにして、フレームシンク（Ｆｒａｍｅ  Ｓｙｎｃ）として、１つおきにマークが出現する間隔を［６，５，８］としたシンクボディＢ（Ｓｙｎｃ  Ｂｏｄｙ  Ｂ）を設けるようにもされる。このＳｙｎｃ  Ｂｏｄｙ  Ｂも、２ワード（１７チャネルビット）を有し、そのパターンとしては、”０１０００１０１００１０００”となっている。
【００３６】
Ｆｒａｍｅ  Ｓｙｎｃとしての機能は、上記２ワード分のＳｙｎｃ  Ｂｏｄｙ  Ａ又はＳｙｎｃ  Ｂｏｄｙ  Ｂによって実現できる。しかしながら、例えば図３（ａ）の場合には、上記Ｓｙｎｃ  Ｂｏｄｙ  Ａに続けて、１ワード分のＳｙｎｃ  ＩＤを追加し、このＳｙｎｃ  Ｂｏｄｙ  ＡとＳｙｎｃ  ＩＤにより３ワード＝２１チャネルビットのＦｒａｍｅ  Ｓｙｎｃを形成することとしている。図３（ｂ）においても同様にして、Ｓｙｎｃ  Ｂｏｄｙ  ＢとＳｙｎｃ  ＩＤにより３ワード＝２１チャネルビットのＦｒａｍｅ  Ｓｙｎｃを形成している。
【００３７】
上記Ｓｙｎｃ  ＩＤは、データ部におけるマーク位置を変更できるようになっている。つまり、
”０１０１０００”
”０１００１００”
”０１０００１０”
”０１００００１”
の４通りのうちのいずれかを選択できる。
【００３８】
Ｓｙｎｃ  Ｂｏｄｙ  Ａ，Ｓｙｎｃ  Ｂｏｄｙ  Ｂは、１つおきにマークが出現する間隔として、［８，５，６］又は［６，５，８］であるべき条件を満たす必要がある。このため、Ｓｙｎｃ  Ｂｏｄｙ  Ａ，Ｓｙｎｃ  Ｂｏｄｙ  Ｂは固定の１つのマークパターンとなる。
そこで、上記のようにして、４通りのマークパターンの選択肢を有するＳｙｎｃ  ＩＤを付加することで、図３（ａ）に示すＳｙｎｃ  Ｂｏｄｙ  Ａ＋Ｓｙｎｃ  ＩＤから成るＦｒａｍｅ  Ｓｙｎｃは、４つのシンクパターンを有することができる。
同様にして、図３（ｂ）に示すＳｙｎｃ  Ｂｏｄｙ  Ｂ＋Ｓｙｎｃ  ＩＤから成るＦｒａｍｅ  Ｓｙｎｃも、４つのシンクパターンを有することができる。
そして、図３（ａ）（ｂ）に示すＦｒａｍｅ  Ｓｙｎｃを併用することで、４×２＝８で表されるようにして、Ｆｒａｍｅ  Ｓｙｎｃとして８つのシンクパターンを有することが可能となる。
【００３９】
また、さらに多くのシンクパターンが必要である場合には、例えば図４（ａ）（ｂ）に示すようにして、Ｓｙｎｃ  ＩＤとしては、各１ワードのＩＤ１，ＩＤ２を連結させた２ワードとするようにされる。
この場合には、ＩＤ１，ＩＤ２の各ワードについて４通りのマークパターンを選択できるので、Ｓｙｎｃ  Ｂｏｄｙ  Ａ＋Ｓｙｎｃ  ＩＤから成るＦｒａｍｅ  Ｓｙｎｃのシンクパターン数は、４×４＝１６で表されるようにして、１６に増加する。同様にして、Ｓｙｎｃ  Ｂｏｄｙ  Ｂ＋Ｓｙｎｃ  ＩＤから成るＦｒａｍｅ  Ｓｙｎｃのシンクパターン数も１６となる。従って、図４（ａ）（ｂ）に示すＦｒａｍｅ  Ｓｙｎｃを併用した場合には、１６×２＝３２のシンクパターン数を得ることができる。
【００４０】
３．４−１変調（第１の実施の形態）
３−１．４−１変調規則
本発明が解決すべき課題として先にも述べたように、バーストカッティングエリア２に記録されるべきデータとしても、記録密度を高めることが要求される。
本実施の形態としても、バーストカッティングエリア２に記録すべきデータは、４−１変調により符号化されたデータとされるが、ここで、４−１変調により符号化されるデータについての符号化効率に着目してみる。すると、上記した先行技術としての４−１変調（符号化）規則では、２データビットを７チャネルビットに変換して１ワードを形成するようにされていることから、符号化効率としては、
２（ｂｉｔ）／７（ｃｈａｎｎｅｌ）
として表されることになる。
記録密度を高める１つの手法として、上記した符号化効率をより高いものとすることが行われるが、実施の形態としては、バーストカッティングエリア２に記録すべき４−１変調データの高記録密度化を図るのにあたり、この符号化効率を高める手法を採用する。また、実施の形態については、４−１変調規則に応じて、第１の実施の形態と第２の実施の形態との２つの例を挙げることとし、先ず、第１の実施の形態について説明する。
【００４１】
図５は、第１の実施の形態に対応する４−１変調規則として、２データビットの論理値と、４−１変調パターンとの関係を示している。
この図から分かるように、本実施の形態の４−１変調規則による４−１変調パターン、つまり、１ワード分の構造としては、４チャネルビットから成るデータ部と、これに続く１チャネルのギャップ部とから成る。
【００４２】
ここで、２データビットの論理値のパターンと、データ部のマークパターンとの対応は、図３の場合と同様となる。つまり、
”２データビットの論理値”→”データ部のマークパターン”
の対応関係について、
”００”→”１０００”
”０１”→”０１００”
”１０”→”００１０”
”１１”→”０００１”
としている。
【００４３】
そして、ギャップ部としての１チャネルの領域については、マークを設定せずに、論理値”０”を設定する。このギャップ部は、４−１変調データ列においてワード単位ごとの区切りを示すものであり、また、下記のようにして、４−１変調データ列において”１”としてのマークが連続することを避けるために設けられる。
従って、２データビットの論理値パターンと、データ部＋ギャップ部から成る４−１変調パターン全体の対応としては、
”００”→”１００００”
”０１”→”０１０００”
”１０”→”００１００”
”１１”→”０００１０”
となる。
【００４４】
先行技術及び本実施の形態としての４−１変調により記録されるデータ列を再生するのにあたっては、いわゆるマーク位置検出を行うことを前提としている。４−１変調の場合、例えばバーストカッティングエリア２において、物理的にマークとして記録されるのは、論理値”１”に対応するチャネルビットである。
そして、４−１変調により記録されるデータ列を上記したマーク位置検出による再生を行う場合において、例えばＰＬＬ回路などによりチャンネルビットごとのタイミングをとるのにあたっては、論理値”１”としてのマークについて連続しない、いわゆる孤立ビットとすることが好ましい。
【００４５】
具体例として、図６（ａ）に、本実施の形態の４−１変調によりバーストカッティングエリア２に物理的に記録されたデータ列（ＢＣＡ  ｍａｒｋ）を示す。この場合においては、２ワード分のシーケンスが示されており、先ず、前方のワードにおいてチャネルビット３にマークが設定され、後方のワードにおいてチャネルビット０にマークが設定されている。また、この場合には説明を分かりやすいものとするために、マークのデューティは１００％であることとしている。つまり、バーストカッティングエリア２に記録されるデータとして、図６（ａ）に示すように、１チャネルビットに対応する物理的長をＬ１とし、１チャネルビット分のマークとしての物理長をＬ２とすると、Ｌ１＝Ｌ２となるようにされているものである。
【００４６】
この図６（ａ）に示すようにして記録されている部分を再生することによっては、図６（ａ）に示す再生波形が得られることになり、この再生波形について２値化を行うことで、マークに対応してＨレベルとなる２値化信号が得られることになる。そして、この２値化信号としては、例えば図示もしているように、少なくとも、Ｈレベルとなる信号波形の間に、ほぼ１チャネルビット分に相当するＬレベルの区間を得ることができる。
このような波形であれば、例えばマークエッジ検出方式により２値化信号から再生チャネルビットを得るような場合にも、図６（ｄ）に示すようにして正常な再生チャネルビットを得ることが可能とされる。つまり、図６（ａ）に示すようにしてバーストカッティングエリア２に記録されたデータ列のマーク位置と、図６（ｄ）に示される再生チャネルビットのマーク位置とについて一致したものとすることができる。
【００４７】
図７は、マークセンター検出方式により４−１変調データを再生する場合であり、図７（ａ）（ｂ）（ｃ）は、図６（ａ）（ｂ）（ｃ）と同様のデータ列及び信号波形が示されている。この場合にも、図７（ｄ）に示すようにして、図６の場合と同様にして、正常な再生チャネルビットを得ることができる。
【００４８】
これに対して、ここで仮にギャップ部を省略して、チャネルビット０〜４までのデータ部を１ワードとする４−１変調とした場合を考えてみる。
この場合には、例えば図８（ａ）に示すようにして、データソースの値によっては、バーストカッティングエリア２に記録されるデータ列において、前のワードのチャネルビット３と次のワードのチャネルビット０とが連続して”１”となり、従って、マークも連続する場合が生じることになる。
このようなデータ列を再生して得られる再生波形においては、図８（ｂ）に示すようにして、連続するマークを再生した区間に応じて再生波形のピーク区間ももほぼ２チャネルビット分に延びることとなる。これに応じて、再生波形を２値化した２値化信号としても、連続する２つのマークの区間に応じて、Ｈレベルの区間が継続することになる。そして、この２値化信号を例えばマークエッジ検出方式により検出した場合には、例えば図８（ｄ）に示すようにして、連続する２つのマークの区間に応じたＨレベルの区間を、１つのマークの区間であると誤検出する可能性が生じることになる。このような誤検出が生じると、図８（ａ）と図８（ｄ）とを比較して分かるように、バーストカッティングエリア２に記録されているワードごとのマークパターンと、再生チャネルビットのワードごとのマークパターンとにずれが生じることになり、再生結果にエラーが生じることになる。
【００４９】
このことは、図９（ａ）〜（ｄ）に示すようにして、マークセンター検出方式により４−１変調データを再生する場合についても同様のことがいえる。なお、図９（ａ）（ｂ）（ｃ）には、図８（ａ）（ｂ）（ｃ）と同様のデータ列及び信号波形が示されている。
【００５０】
このようにして、第１の実施の形態としては、１ワード分の４−１変調パターンとして、２データビットを、４チャネルビットのデータ部と１チャネルビットのギャップ部とから成る、５チャネルビットにより形成していることになり、先行技術と比較した場合には、２チャネルビット削減されていることになる。
従って、符号化効率としては、
２（ｂｉｔ）／５（ｃｈａｎｎｅｌ）
として表されることになる。
そして、この実施の形態としての４−１変調の符号化効率と、先に説明した先行技術としての４−１変調の符号化効率である、
２（ｂｉｔ）／７（ｃｈａｎｎｅｌ）
と比較してみると、
２（ｂｉｔ）／５（ｃｈａｎｎｅｌ）＞２（ｂｉｔ）／７（ｃｈａｎｎｅｌ）
として表されるように、本実施の形態のほうの符号化効率のほうが高くなっていることがわかる。
【００５１】
ここで、本実施の形態の４−１変調規則による１ワードの構造としては、先行技術に示されるような同期パターンは存在しないことになる。従って、例えばバーストカッティングエリア２の再生時において、ワード単位での同期タイミングをとることはできないことになる。
しかしながら、本実施の形態としては、バーストカッティングエリア２に記録されるデータは、先頭にフレームシンクが配置されたフレーム単位のシーケンスにより形成される。そして、バーストカッティングエリア２に記録されたデータ列を読み出す過程においては、このフレームシンクを検出することによりフレーム単位での同期を取ることが可能であり、フレーム単位での同期が取れさえすれば、例えばフレーム内のチャネルビットを５つずつカウントしていくことで、フレーム内でのワード単位の区分を認識することは可能となる。つまり、同期パターンが存在していなくとも、充分な信頼性でもってデータの再生を行うことが可能とされるものである。
【００５２】
３−２．フレームシンク
先に図５に示した変調規則により４−１変調されたデータは、フレーム単位のシーケンスによりバーストカッティングエリア２に記録される。そして、フレームごとに対しては、フレーム同期をとるためのフレームシンクを配置する必要がある。
フレームシンクとしてのマークパターンは、先行技術としての図３及び図４による説明から理解されるように、４−１変調により符号化された通常のデータ列において出現するマークパターンの規則に違反したものである必要があり、この点については、本実施の形態としても同様とされる。
【００５３】
しかしながら、本実施の形態では、先行技術はと異なる４−１変調規則としたことで、通常の４−１変調データ列において出現するマークパターンの規則も、先行技術と異なったものとなる。従って、本実施の形態としては、先行技術の４−１変調規則に対応して決められたマークパターンによるフレームシンクを採用することはできない。そこで、本実施の形態としては、下記のようにして、図５に示した４−１変調規則に応じたフレームシンクのマークパターンを設定する。
【００５４】
ここで、図１０を参照して、本実施の形態の４−１変調規則により得られる、通常のデータ列におけるマークパターンの出現規則について考察してみる。
先ず、通常のデータ列において出現するマークの密度が最も低くなる場合とは、図におけるデータ列の左側に示すように、１つ目のマークと、この１つ目のマークの次に出現するとされる２つ目のマークとの位置間隔が９チャネル分となって２／９で表される場合である。つまり、例えば或る１つのワードのマークパターンが”１００００”となり、これに続くワードのマークパターンが”０００１０”となる状態がこれに対応する。つまり、２ワード分で、”１０００００００１０”となるマークパターンである。
ちなみに、この状態は、本実施の形態の４−１変調規則により変調された通常のデータ列において、１つ目のマークと、２つ目のマークとの２つのマークが出現するチャネルビット数の範囲（出現範囲）が最大となる状態でもある。
【００５５】
また、逆に、通常のデータ列において出現するマークの密度が最も高くなる場合を考えてみると、図におけるデータ列の右側に示すように、１つ目のマークと３つ目のマークとの位置間隔が８チャネル分とされた上で、２つ目のマークが、１つ目のマークと３つ目のマークとの間の所要のチャネルビットに位置しており、３／８で表される場合となる。
つまり、先ずは、１つ目のマークを含むワードのマークパターンが、”０００１０”とされ、データ部における最後のチャネルビットに１つ目のマークが位置するようにされる。また、この１つ目のマークを含むワードの次のワードにおいて２つ目のマークが、データ部における任意のチャネルビットに位置するようにされる。そして、２つ目のマークを含むワードの次のワードのマークパターンが、”１００００”とされ、３つ目のマークはデータ部の先頭のチャネルビットに位置するようにされる。図１０では、”１００１０００１”というマークパターンが示されている。
また、このようなマークパターンは、本実施の形態の４−１変調規則により変調された通常のデータ列において、３つのマークが出現する出現範囲が最小となる状態に相当する。
【００５６】
このことから、本実施の形態の４−１変調規則に従って得られる通常のデータ列におけるマークパターンの規則として、出現するマークの密度（マーク出現密度）は、最小が２／９で、最大が３／８の範囲内であり、この範囲外のマーク出現密度になることは無いということがいえる。
従って、本実施の形態のフレームシンクとしては、上記したマーク出現密度の範囲外となるようなマークパターンを与えて形成すればよいということになる。
【００５７】
このことに基づいて、本実施の形態では、図１１及び図１２に例示するようにしてシンクパターンを設定する。図１１には、シンクボディＡ（Ｓｙｎｃ  ｂｏｄｙ  Ａ）を含むフレームシンク（Ｆｒａｍｅ  Ｓｙｎｃ）が示され、図１２には、シンクボディＢ（Ｓｙｎｃ  ｂｏｄｙ  Ｂ）を含むフレームシンク（Ｆｒａｍｅ  Ｓｙｎｃ）が示される。
先に、図１１によりシンクボディＡを含むフレームシンクの基本構造について説明する。なお、後述するようにして、シンクボディＡを含むフレームシンクの基本構造としては、図１１（ａ）に代表される第１基本構造と、図１１（ｄ）に示す第２基本構造を有するが、ここでは先ず、図１１（ａ）により第１基本構造について説明する。
【００５８】
シンクボディＡは、図１１（ａ）に示すように３ワード（＝１５チャネルビット）から成る。そして、これら３ワードのうち、先頭の２ワードにより、マーク出現密度が２／１０となる、”１００００００００１”というマークパターンを設定する。つまり、ここでいうシンクボディＡとは、最小のマーク出現密度である２／９よりも低いマーク出現密度として、２／１０となるマークパターンを有するシンクボディとなる。
【００５９】
そして、シンクボディＡにおいて、上記マーク出現密度２／１０のマークパターンに続く１ワード（最終ワード）は次のようにして扱う。
ここで、１ワードにおける先頭から最終のチャネルビットにかけて、チャネルビット０〜チャネルビット４ということにすると、シンクボディＡの最終ワードについては、チャネルビット１，２，３の３つのチャネルビットのいずれかを選択してマークを設定することができる。逆に、チャネルビット０，４チャネルビットには、マークを設定することができない。
【００６０】
上記最終ワードのチャネルビット０，４に、マークを設定することができない理由は次の通りである。
先に図６〜図９を参照して説明したように、第１の実施の形態における４−１変調としては、変調後のデータとして、マークが連続することは禁止されている。チャネルビット０にマークを設定したとすると、その直前の”１００００００００１”のマークパターンにおける最後のマークと、この最終ワードのチャネルビット０のマークが連続することになる。同様にして、チャネルビット４にマークを設定したとすると、シンクボディＡに続けて配置される１ワード分のＳｙｎｃ  ＩＤのチャネルビット０にマークが設定されたときに、マークが連続することになる。
【００６１】
そして、上記のようにして、シンクボディＡの最終ワードについて、３パターンのマーク位置の選択性があることにより、シンクボディＡは３パターンの選択性を有することになる。
つまり、図１１（ａ）に示す、最終ワードのチャネルビット１にマークが設定された”１００００００００１０１０００”のマークパターンを有するシンクボディＡ−１と、図１１（ｂ）に示す最終ワードのチャネルビット２にマークが設定された”１００００００００１００１００”のマークパターンを有するシンクボディＡ−２と、図１１（ｃ）に示す最終ワードのチャネルビット３にマークが設定された”１００００００００１０００１０”のマークパターンを有するシンクボディＡ−３との間での選択性が与えられる。このようにフレームシンクとしては、シンクボディＡの部分によって３パターンが得られることになる。
【００６２】
そして、シンクボディＡを有するフレームシンクとして、さらに選択パターン数を増加させるためには、先行技術のフレームシンクの場合と同様に、必要に応じた数のＳｙｎｃ  ＩＤを付加してフレームシンクを形成すればよい。そこで、図１１の場合には、シンクボディＡの後ろにＳｙｎｃ  ＩＤを１つ付加した構造としている。このＳｙｎｃ  ＩＤは、１ワードのサイズであり、図１１（ｅ）（ｆ）（ｇ）（ｈ）に示すようにして、データ部に相当するチャネルビット０〜チャネルビット３のいずれかに対してマークを設定することができる。つまり、１つのＳｙｎｃ  ＩＤによって４パターンの選択性が与えられる。
従って、図１１に示すシンクボディＡを有するフレームシンクとしては、シンクボディＡとして３パターン、Ｓｙｎｃ  ＩＤとして４パターンとされることで、４×３＝１２パターンの選択性が与えられていることになる。
【００６３】
上記図１１（ａ）（ｂ）（ｃ）に示したシンクボディＡの基本構造としては、先ず先頭の２ワードについて、マーク出現密度が２／１０となる”１００００００００１”という固定のマークパターンとし、これに続けて３パターンの選択性が与えられる１ワードを配置したパターンとしている。この構造は、前述もしたように第１基本構造として扱われるものであり、シンクボディＡとしては、もう１つの基本構造である第２基本構造としてのパターンも設定することができる。
つまり、図１１（ｄ）に示すようにして、シンクボディＡとしての３ワード（第１チャネルビット〜第１５チャネルビット）において、マーク出現密度が２／１０となる”１００００００００１”のマークパターンを第５チャネルビットから第１４チャネルビットまでの１０チャネルビットの領域に割り当てる。ここで、上記”１００００００００１”のマークパターンを第６チャネルビット〜第１５チャネルビットの範囲とせずに、最終の第１５チャネルビットについて論理値”０”としたのは、シンクボディＡに続くＳｙｎｃ  ＩＤの先頭のチャネルビットにマークが設定された場合に、マークが連続することを避けるためである。
【００６４】
そして、このような第２基本構造を有するシンクボディＡとしても、最大で３パターンの選択性を与えることができる。つまり、図１１（ｄ）において矢印ａ，ｂ，ｃで示すように、シンクボディＡにおける第１チャネルビット〜第３チャネルビットの３つのチャネルビットのうちの何れかを１つを選択してマークを設定すればよい。ここで、シンクボディＡの直前のチャネルビットは、前のフレームのデータを形成する最終ワードのギャップ部であり、このギャップ部には、必ず論理値”０”が設定される。従って、シンクボディＡにおける第１チャネルビットにマークを設定することについて何ら問題はない。
そして、この第２基本構造をとるフレームシンクとしても、シンクボディＡの後ろに１ワード分のＳｙｎｃ  ＩＤを１つ追加することで、Ｓｙｎｃ  ＩＤにおけるマーク位置の選択により、４パターンが与えられることになる。従って、第２基本構造のフレームシンク全体としても１２パターンの選択性を有することになる。
【００６５】
ところで、シンクボディＡを含むフレームシンク挿入してバーストカッティングエリア２へのデータ記録をおこなうのにあたり、図１１（ａ）（ｂ）（ｃ）に示す第１基本構造をとるフレームシンクと、図１１（ｄ）に示す第２基本構造をとるフレームシンクを併用して採用することは避けるべきものとされるが、この理由について述べておく。
【００６６】
フレームシンクは、本実施の形態としての４−１変調規則によっては、本来生じないとされるマークの出現パターンを検出することでフレームの先頭をであることを認識するためのものであるが、これと共に、チャネルビット単位でのタイミング（位置）を認識するためにも用いられる。
【００６７】
つまり、図１１（ａ）（ｂ）（ｃ）に示した第１基本構造をとるフレームシンクを採用した場合、シンクボディＡにおける、マーク出現密度が２／１０となる”１００００００００１”のマークパターンを検出したときには、前方のマーク位置は１つのワードにおけるチャネルビット０であることになる。また、後方のマーク位置は、上記前方のマークを含むワードに続くワードのチャネルビット４（ギャップ部）であることを示すことになる。
同様にして、図１１（ｄ）に示した第２基本構造をとるフレームシンクを採用した場合において、シンクボディＡにおけるマーク出現密度が２／１０となる”１００００００００１”のマークパターンを検出したときには、前方のマーク位置がワードにおけるチャネルビット４（ギャップ部）であり、後方のマークは、前方のマークを含むワードから２つ後ろのワードのチャネルビット３であることを示すことになる。
このことに基づいて、フレームにおけるチャネルビットの位置を認識することが可能となり、例えば、ワード単位の区切りを認識することも可能となる。
【００６８】
従って、第１基本構造と第２基本構造のフレームシンクを併用して採用したとすれば、”１００００００００１”のマークパターンを検出したとしても、チャネルビットの位置が、第１基本構造のものであるのか、第２基本構造のものであるのかをシステム側で認識することができなくなる。このために、シンクボディＡを含むフレームシンクとしては、第１基本構造と第２基本構造のフレームシンクのいずれを選択して採用しても構わないが、どちらか一方のみを選択して採用すべきことになるわけである。
なお、次に説明するシンクボディＢを含むフレームシンクとしても、第１基本構造と第２基本構造の２つのパターンを採ることができるが、この点については同様である。また、システム構成又はバーストカッティングエリア２に記録するデータのフォーマットとして、第１基本構造と第２基本構造のフレームシンクのいずれであるのかを弁別可能な構成が採られるのであれば、第１基本構造と第２基本構造のフレームシンクを併用して採用することは可能であり、この点も、シンクボディＢを含むフレームシンクについて同様のことがいえる。
【００６９】
続いて、図１２を参照して、シンクボディＢを含むフレームシンクについて説明する。
シンクボディＢの基本構造しても、図１２（ａ）に示すように３ワード（＝１５チャネルビット）とする。そして、これら３ワードを形成する第１チャネルビット〜第１５チャネルビットのうち、第４チャネルビット〜第１０チャネルビットまでの７チャネルビットの領域に、マーク出現密度が３／７となるマークパターンを割り当てる。図１２（ａ）では、”１００１００１”というマークパターンを割り当てている。つまり、シンクボディＢは、最大のマーク出現密度である３／８よりも高いマーク出現密度として、３／７となるマークパターンを有するシンクボディである。
【００７０】
ここで、シンクボディＢにおいて、上記マーク出現密度が３／７となるマークパターン（”１００１００１”）以外の領域である、第１〜第３チャネルビットと、第１１チャネルビット〜第１５チャネルビットには、固定的に論理値”０”が設定される。仮に、これらのチャネルビットのいずれか１つにでもマークを設定したとすると、シンクボディＢにおけるマーク出現密度が３／７となるマークパターンが成立しなくなる。
【００７１】
そして、このようにして形成されるシンクボディＢとしては、第４チャネルビット〜第１０チャネルビットによるマーク出現密度が３／７となるマークパターンにおいて、１番目と３番目のマークの間に出現する２番目のマークのチャネルビット位置ついて、３パターンの選択性が得られる。
つまり、図１２（ａ）に示すマーク出現密度３／７のマークパターンでは、”１００１００１”となっており、２番目のマークは、シンクボディＢにおける第７チャネルビットに位置させている。この図１２（ａ）に示す”１００１００１”のマークパターンを有するシンクボディについて、シンクボディＢ−１ということにすると、図１２（ｂ）（ｃ）に示すようにして、マーク出現密度３／７のマークパターンにおける２番目のマークのチャネルビット位置を変更することで、シンクボディＢ−２、Ｂ−３としてのパターンを得ることができる。
【００７２】
図１２（ｂ）のシンクボディＢ−２としては、マーク出現密度３／７のマークパターンが”１０１０００１”となっており、２番目のマークを、シンクボディＢにおける第６チャネルビットに位置させている。
また、図１２（ｃ）のシンクボディＢ−３としては、マーク出現密度３／７のマークパターンが”１０００１０１”となっており、２番目のマークを、シンクボディＢにおける第８チャネルビットに位置させている。
これら図１２（ａ）（ｂ）（ｃ）に示す範囲内で、２番目のマークを設定するチャネルビット位置を選択している限りにおいては、マーク出現密度３／７という条件は満たされるものである。
なお、２番目のマークをシンクボディＢにおける第５チャネルビット若しくは第９チャネルビットに位置させると、論理値パターンは”１１００００１”若しくは”１００００１１”となってマークが連続することになる。従って、シンクボディＢにおける第５チャネルビット、及び第９チャネルビットには、２番目のマークを設定することはできない。
このようにして、シンクボディＢとしても最大で３パターンの選択性を与えることが可能となる。
【００７３】
そして、シンクボディＢを有するフレームシンクとしても必要に応じてＳｙｎｃ  ＩＤを付加してフレームシンクを形成することで、選択可能なパターン数を増加させることができる。この図１２としても、シンクボディＢの後ろにＳｙｎｃ  ＩＤを１つ付加した構造を示している。
また、ここでのＳｙｎｃ  ＩＤも、１ワードのサイズであり、図１２（ｅ）（ｆ）（ｇ）（ｈ）に示すようにして、データ部に相当するチャネルビット０〜チャネルビット３のいずれかに対してマークを設定することができ、４パターンの選択性が与えられている。
従って、図１２に示すシンクボディＢを有するフレームシンクとしても、図１１のシンクボディＡを有するフレームシンクと同様、シンクボディＢとしての３パターン、Ｓｙｎｃ  ＩＤとしての４パターンによる１２（＝４×３）パターンの選択性が与えられることになる。
【００７４】
また、シンクボディＢの基本構造としても、上記図１２（ａ）（ｂ）（ｃ）に示したマークパターンによる第１基本構造に対して、さらに、もう１つの基本構造である第２基本構造としてのパターンを設定できる。
つまり、図１２（ｄ）に示すようにして、シンクボディＢとしての３ワードにおいて、マーク出現密度が３／７となるマークパターン（”１００１００１”）を、第１基本構造の状態から、１チャネルビット後ろにずらすようにして、第５チャネルビットから第１１チャネルビットまでの７チャネルビット分の領域に割り当てるものである。
【００７５】
この場合にも、マーク出現密度が３／７となるマークパターンが割り当てられた第５〜第１１チャネルビット以外のチャネルビットについては、第１基本構造の場合と同様の理由によって、固定的に論理値”０”を設定する。
また、シンクボディＢを含むフレームシンクとして、第２基本構造をとる場合にも、マーク出現密度が３／７となるマークパターンとして、”１００１００１”、”１０１０００１”、”１０００１０１”の３パターンを選択し得る。従って、第２基本構造をとるシンクボディＢとしても、最大で３パターンの選択性を与えることができる。
さらに、フレームシンクの構造として、シンクボディＢに続けて、１ワードのＳｙｎｃ  ＩＤを１つ追加することで、フレームシンクとして１２パターンの選択性が与えられることになる。
【００７６】
そして、シンクボディＡを含むフレームシンクと、シンクボディＢを含むフレームシンクとは、シンクボディを形成する４−１変調規則違反のマークパターンについて、それぞれ、マーク出現密度２／１０、３／７という、互いに異なるマークパターンとされている。
従って、シンクボディＡを含むフレームシンクと、シンクボディＢを含むフレームシンクとを同時採用してバーストカッティングエリア２へのデータ記録を行っても、再生システム側では、シンクボディが、シンクボディＡであるのか、或いはシンクボディＢであるのかを弁別できる。換言すれば、前述したような、シンクボディＡを含むフレームシンク同士で第１基本構造と第２基本構造を同時採用した場合、若しくは、シンクボディＡを含むフレームシンク同士で第１基本構造と第２基本構造を同時採用した場合のような不都合は生じることが無い。
【００７７】
このことから、本実施の形態としては、第１基本構造又は第２基本構造の何れか一方のシンクボディＡを含むフレームシンクと、同じく、第１基本構造又は第２基本構造の何れか一方のシンクボディＢを含むフレームシンクとを、同時採用することができる。
この結果、フレームシンクとしての選択可能なパターン数は、例えばシンクボディＡを含むフレームシンクのみ、若しくはシンクボディＢを含むフレームシンクのみを採用した場合と比較して、２倍とすることができる。具体例として、図１１及び図１２に示したフレームシンクの場合であれば、１つのＳｙｎｃ  ＩＤが追加されていることで、それぞれ１２パターンの選択性を有していたから、最大で２４（＝１２×２）パターンの選択性を得ることができることになる。
【００７８】
４．バーストカッティングエリアのデータ構造
続いては、第１の実施の形態としての４−１変調バーストカッティングエリア（ＢＣＡ）２に記録されるべきデータ（以降は、ＢＣＡコードともいう）のデータ構造について説明する。
図１３は、バーストカッティングエリア２に記録される４−１変調前のデータ構造の一例を示している。
ＢＣＡコードにおいては、５バイトから成るフレーム単位が１行（１ｒｏｗ）を形成するようにされている。１フレームは、先頭の１バイトによるフレームシンクと、このフレームシンクに続く４バイトのデータエリアとから成る。
そして、第１フレームから第３４フレームまでの３４のフレーム（３３行）のシーケンスによりＢＣＡコードとしての全体構造が得られる。
【００７９】
第１フレームにおいて、フレームシンクはＳＢＢＣＡ，−１としての固有のパターンを有し、データエリアにはプリアンブルが配置される。プリアンブルには００ｈ（ｈは１６進数表記であることを示す）の値が格納される。このプリアンブルを用いることで、再生時においてＰＬＬ回路により、ｂｃアコードのチャネルビットに同期したチャネルクロックを生成することができるようにされている。
ここで、第１フレームのフレームシンクＳＢＢＣＡ，−１としてのマークパターン（論理値パターン）は、バーストカッティングエリア２に記録されるデータであるＢＣＡコードのスタート位置を示す。つまり、再生時においては、フレームシンクＳＢＢＣＡ，−１のマークパターン（及びプリアンブル）を検出することで、バーストカッティングエリア２の開始位置であることを認識するようにされる。
【００８０】
第２フレームから第３３フレームまでは、４フレーム単位で区分される。
そして、第２フレーム〜第５フレームまでの各フレームにおいては、同じフレームシンクＳＢＢＣＡ，０が格納される。そして、各フレームのデータエリアには、それぞれＩ０，０〜Ｉ０，３、Ｉ０，４〜Ｉ０，７、Ｉ０，８〜Ｉ０，１１、Ｉ０，１２〜Ｉ０，１５として示される４バイトづつのユーザデータが格納される。つまり、第２フレーム〜第５フレームの３フレーム分により、Ｉ０，０〜Ｉ０，１５の１６バイトで１纏まりとされるユーザデータが記録される。
また、続く第６フレーム〜第９フレームの各フレームには、フレームシンクＳＢＢＣＡ，１が共通に格納され、各データエリアには、Ｃ０，０〜Ｃ０，３、Ｃ０，４〜Ｃ０，７、Ｃ０，８〜Ｃ０，１１、Ｃ０，１２〜Ｃ０，１５として示される４バイトのパリティが格納される。従って、第６フレーム〜第９フレームには、１６バイトのパリティＣ０，０〜Ｃ０，１５が格納されることになるが、このパリティＣ０，０〜Ｃ０，１５は、上記第２フレーム〜第５フレームのユーザデータＩ０，０〜Ｉ０，１５に対応するパリティとなる。
【００８１】
そして、上記したユーザデータＩ０，０〜Ｉ０，１５を格納する第２フレーム〜第５フレームと、パリティＣ０，０〜Ｃ０，１５を格納する第６フレーム〜第９フレームにより、１つのＥＣＣブロックが構成される。つまり、１つのＥＣＣブロックは、１６バイト分のユーザデータを格納する連続する３フレームと、この３フレームに続いて、上記ユーザデータのための１６バイトのパリティを格納する３フレームとから成る６フレームにより構成される。
【００８２】
以降、同様にして、第１０フレーム〜第１３フレームにおいては、共通のフレームシンクＳＢＢＣＡ，２が格納され、データエリアには、ユーザデータＩ１，０〜Ｉ１，１５が格納される。
また、これに続く第１４フレーム〜第１７フレームにおいては、共通のフレームシンクＳＢＢＣＡ，３が格納され、データエリアには、上記ユーザデータＩ１，０〜Ｉ１，１５に対応するパリティＣ１，０〜Ｃ１，１５が格納される。そして、これら第１０フレーム〜第１７フレームの６フレームにより１つのＥＣＣブロックが形成される。
【００８３】
同じく、第１８フレーム〜第２１フレームにおいては、共通のフレームシンクＳＢＢＣＡ，４が格納され、データエリアには、ユーザデータＩ２，０〜Ｉ２，１５が格納される。
また、これに続く第２２フレーム〜第２５フレームにおいては、共通のフレームシンクＳＢＢＣＡ，５が格納され、データエリアには、上記ユーザデータＩ２，０〜Ｉ２，１５に対応するパリティＣ２，０〜Ｃ２，１５が格納される。そして、これら第１８フレーム〜第２５フレームの６フレームにより１つのＥＣＣブロックが形成される。
【００８４】
続く第２６フレーム〜第２９フレームにおいては、共通のフレームシンクＳＢＢＣＡ，６が格納され、データエリアには、ユーザデータＩ３，０〜Ｉ３，１５が格納される。
これに続く第３０フレーム〜第３３フレームにおいては、共通のフレームシンクＳＢＢＣＡ，７が格納され、データエリアには、上記ユーザデータＩ３，０〜Ｉ３，１５に対応するパリティＣ３，０〜Ｃ３，１５が格納される。そして、これら第２６フレーム〜第３３フレームの６フレームにより１つのＥＣＣブロックが形成される。
このようにして、ＢＣＡコードにおいては、４つのＥＣＣブロックが記録されていることになる。
【００８５】
そして、第３４フレームには、フレームシンクＳＢＢＣＡ，−２が配置される。このフレームシンクＳＢＢＣＡ，−２は、ＢＣＡブロックのターミネーションとして機能するもので、フレームシンクＳＢＢＣＡ，−２を検出することで、ＢＣＡブロックが終了したことが認識される。従って、第３４フレームにおいては、データエリアは設けられない。
【００８６】
この図１３に示すＢＣＡコードのデータ構造は、４−１変調前の構造を示すものとされる。この４−１変調前のＢＣＡコードは、１６６（＝５＋（５×４×８）＋１）バイトとなる。この１６６バイトのデータが、第１の実施の形態としての図２に示される４−１変調方式により変調された場合には、３３２０（＝１６６×８×５／２）チャネルビットとなる。
【００８７】
上記図１３に示したＢＣＡコードの構造によると、フレームシンクとしては、フレームシンクＳＢＢＣＡ，−１、ＳＢＢＣＡ，０〜ＳＢＢＣＡ，７、及びフレームシンクＳＢＢＣＡ，−２の１０パターンが必要であることになる。
先に図１１及び図１２により説明したように、第１の実施の形態としてのフレームシンクは、シンクボディＡを含むフレームシンクと、シンクボディＢを含むフレームシンクとで、それぞれ１２パターン（１つのＳｙｎｃ  ＩＤを含む場合）であり、合わせて２４パターンの選択性を有している。従って、上記図１３に示したＢＣＡコードにおける１０パターンのフレームシンクについては、これらの２４パターンのうちから選択すればよいことになる、。
【００８８】
このことに基づいて、図１３に示したフレームシンクについては、図１４に示すようにして定義することとした。
つまり、ＢＣＡコードの開始を示すフレームシンクＳＢＢＣＡ，−１については、第１基本構造のシンクボディＢ−１（０００１０  ０１００１  ０００００）と、Ｓｙｎｃ  ＩＤ（０００１０）から成るパターンとする。
また、ＢＣＡコードの終了を示すフレームシンクＳＢＢＣＡ，−２については、第１基本構造のシンクボディＢ−１（０００１０  ０１００１  ０００００）を使用するのは、フレームシンクＳＢＢＣＡ，−１と同様であるが、Ｓｙｎｃ  ＩＤについては（００１００）から成るパターンとする。
【００８９】
また、フレームシンクＳＢＢＣＡ，０〜ＳＢＢＣＡ，７のうち、先ず、前半のフレームシンクＳＢＢＣＡ，０〜ＳＢＢＣＡ，３の４つについては、第１基本構造のシンクボディＡ−１（１００００  ００００１  ０１０００）を共通に使用した上で、Ｓｙｎｃ  ＩＤについて、フレームシンクＳＢＢＣＡ，０は（１００００）、フレームシンクＳＢＢＣＡ，１は（０１０００）、フレームシンクＳＢＢＣＡ，２は（００１００）、フレームシンクＳＢＢＣＡ，３は（０００１０）と選択してパターン分けをしている。
【００９０】
また、残る後半のフレームシンクＳＢＢＣＡ，４〜ＳＢＢＣＡ，７の４つについては、第１基本構造のシンクボディＡ−３（１００００  ００００１  ０００１０）を共通に使用した上で、Ｓｙｎｃ  ＩＤについて、フレームシンクＳＢＢＣＡ，４は（１００００）、フレームシンクＳＢＢＣＡ，５は（０１０００）、フレームシンクＳＢＢＣＡ，６は（００１００）、フレームシンクＳＢＢＣＡ，７は（０００１０）と選択してパターン分けをしている。
【００９１】
ここで、上記図１４によると、ユーザデータ若しくはそのためのパリティが格納される第２〜第３フレームにおいては、シンクボディＡを含むフレームシンクを使用しているのに対して、プリアンブルが格納される第１フレームと、ターミネーションの第３４フレームにおいては、シンクボディＢを含むフレームシンクを使用していることになる。
第１フレーム及び第３４フレームは、ＢＣＡコードの開始／終了を示す特別なフレームであるから、これらのフレームについてのみ、シンクボディＢを含むフレームシンクＳＢＢＣＡ，−１、ＳＢＢＣＡ，−２のパターンとすることで、他の通常のフレームとの弁別を行うことがより確実なものとなる。
【００９２】
また、図１４に示しているフレームシンクのマークパターンの実際は、ここでの図示等による詳細な説明は省略するが、既に規格化されているブルーレイディスクにおけるＢＣＡコードのフォーマットに近いものとしている。
これにより、本実施の形態に対応するディスク１を再生するための再生装置を製造するのにあたり、バーストカッティングエリア２に記録されるＢＣＡコードを再生してデコードする部位について、既存のブルーレイディスク再生装置における設計を応用することができる。つまり、設計段階での効率を向上させることができる。
【００９３】
続いて、バーストカッティングエリア２に記録されるデータにおけるＥＣＣブロックのデータ構造について説明する。
バーストカッティングエリア２に記録されるＥＣＣブロックのデータ構造としては、データエリア３に記録されるＥＣＣブロックとしての構造に従ったものとなっていることから、先ず、データエリア３に対応するＥＣＣブロックの構造について図１５を参照して説明する。
【００９４】
図１５に示すように、１ＥＣＣブロックは、２４８バイトから成り、先ず、先頭に２１６バイトのデータエリアが配置され、続けて３２バイトのパリティエリアが配置される。
ここで、ＥＣＣ符号としては、ＲＳ（２４８，２１６，３３）のリードソロモン符号が用いられる。すなわち、符号長ｍが２４８バイト（シンボル）、データ長ｎが２１６バイト（シンボル）、距離（ディスタンス）が３３バイト（シンボル）のＥＣＣ符号である。
【００９５】
続いて、バーストカッティングエリア２に記録されるＥＣＣブロックの構造について説明する。
この場合にも、１ＥＣＣブロックは２４８バイトとされ、ＲＳ（２４８，２１６，３３）のリードソロモン符号が用いられるが、この場合には、２１６バイトのデータエリアのうち、先頭の２００バイトを固定データの領域として、ここにダミーデータを格納する。このダミーデータとしては、例えば１バイトごとにＦＦｈの値を採る。
そして、データエリアにおいてダミーデータに続く残り１６バイトの領域において、Ｉｎ，０〜Ｉｎ，１５の１６バイトのデータを格納する。
そして、データエリアに続く３２バイトのパリティエリアに対してパリティを格納する。
【００９６】
ここで、パリティの計算は、上記した２１６バイトのデータエリアに格納される、２００バイトの固定データと、１６バイトのデータとを用いておこなうべきものとされ、これにより、パリティエリアに格納すべき３２バイトのパリティを生成する。この２００バイトの固定データが存在しなければ、３２バイトのパリティを計算することはできない。
【００９７】
そして、このようなＥＣＣブロックの構造において、バーストカッティングエリア２に記録すべきデータは、先ず、データエリアにおけるＩｎ，０〜Ｉｎ，１５の１６バイトのデータとされる。また、３２バイトのパリティエリアからは、先頭１６バイトに格納されたＣｎ，０〜Ｃｎ，１５のみを記録し、残る１６バイトの領域のデータは切り捨てることになる。
【００９８】
このことから分かるように、データエリアにおける１６バイトのデータＩｎ，０〜Ｉｎ，１５と、これに続く１６バイトのＣｎ，０〜Ｃｎ，１５から成る３２バイトが、図１３に示した１ＥＣＣブロックを形成する、各１６バイトのユーザデータと、パリティとの組み合わせに対応することになる。
その結果、ＲＳ（３２，１６，１７）のエラー訂正符号の性能に対応することになる。
【００９９】
なお、図１６に示すデータエリアの構造としては、先頭から１６バイトの領域にデータＩｎ，０〜Ｉｎ，１５を格納し、これに続けて２００バイトの固定データを格納する順序としてもよい。
【０１００】
再生時において復号処理を実行する際には、２００バイトの固定データは、同一の値がそのまま用いられる。また未記録の１６バイトのパリティは、ポインタイレージャとして復号される。つまり、本来３２バイトあるべきパリティのうち、後半の１６バイトのパリティは消失したものとして処理する。パリティの１／２が消失したとしても、この場合には、その位置が既知であるため、元のパリティを復号することが可能である。
【０１０１】
この結果、バーストカッティングエリア２に記録されるデータとしても、データエリア３に記録される主データのＥＣＣと同じＲＳ（２４８，２１６，３３）相当の非常に強力なエラー訂正能力が与えられていることになる。また、これは、データエリア３に記録される主データ対応のＥＣＣ回路と同一のハードウェアを用いて、ＢＣＡコードのＥＣＣ処理を行うことが可能になるので、その分、再生装置の構成を簡略化し、コストを削減することが可能になる。さらに、バーストカッティングエリア２には、１ＥＣＣブロックにつき、３２（バイト）シンボル単位での記録を行えばよいので、２４８シンボルのすべてを記録する場合に比べて、線密度を大きくすることができる。これによっても記録密度を高めることが可能となっている。また、バーストカッティングエリア２に記録されるデータの検出が容易となるので、再生信頼性も高まる。
【０１０２】
図１７には、先に図１３に示したＢＣＡコードの構造において、パリティが付加される前のユーザデータのデータ構造を示している。
この図において、バイト０〜バイト１５（Ｌｅｎｇｔｈ＋１）の１６バイトの領域に格納されるデータは、図１３の第２〜第５フレームから成るＥＣＣブロックに記録されるユーザデータに対応する。
また、バイト１６〜バイト３１（Ｌｅｎｇｔｈ＋１７）の１６バイトの領域に格納されるデータは、図１３の第１０〜第１３フレームから成るＥＣＣブロックに記録されるユーザデータに対応する。
バイト３２〜バイト４７（Ｌｅｎｇｔｈ＋３３）の１６バイトの領域に格納されるデータは、図１３の第１８〜第２１フレームから成るＥＣＣブロックに記録されるユーザデータに対応する。
バイト４８〜バイト６３（Ｌｅｎｇｔｈ＋４９）の１６バイトの領域に格納されるデータは、図１３の第２６〜第２９フレームから成るＥＣＣブロックに記録されるユーザデータに対応する。
【０１０３】
１ＥＣＣブロックに対応する１６バイトにおいて、先頭の２バイトの領域がヘッダとされ、続く１４バイトの領域がコンテンツデータ（Ｃｏｎｔｅｎｔ  Ｄａｔａ）となる。
ヘッダは、先頭の１バイトのＢＣＡコンテンツコード（ＢＣＡ  Ｃｏｎｔｅｎｔ  Ｃｏｄｅ）の領域と、次の１バイトのコンテンツデータ長（Ｃｏｎｔｅｎｔ  Ｄａｔａ  Ｌｅｎｇｔｈ）の領域とから成る。
【０１０４】
ＢＣＡコンテンツコードは、図１８に示すようにして、先頭のビット７〜ビット２までの６ビットの領域に、アプリケーションＩＤを格納し、残るビット１，０の２ビットの領域にブロック番号を格納する。
【０１０５】
例えば、本実施の形態のディスク１に対応する記録再生装置は、予め登録されているアプリケーションＩＤが記録されているディスク１に対してのみ、データを記録再生することが可能となるようにされている。
【０１０６】
また、ブロック番号は、”００”，”０１”，”１０”，”１１”の４つの番号のうちのいずれかの値をとる。ここでの詳しい説明は省略するが、上記アプリケーションＩＤと、このブロック番号との組み合わせにより、いずれのＥＣＣブロックに属するデータであるのか、また、複数のＥＣＣブロックに同じデータ内容を記録した、いわゆる多重書きされたＥＣＣブロックのうちの１つであるのか、或いは、他のＥＣＣブロックとは異なる内容が記録された、いわゆる１重書きのＥＣＣブロックであるのかを識別することができる。
【０１０７】
また、参考として、データエリア３に記録されるＡＶデータなどの主データ（コンテンツデータ）のエラー訂正ブロックを図１９に示す。
主データのエラー訂正ブロックは、６４Ｋバイト単位で構成される。このように、ＥＣＣブロックを形成するサイズを相応に大きなものとすることで、インターリーブ長を大きくすることができ、バーストエラーに強くなる。
なお、記録再生の単位を、２Ｋバイトのセクタ単位とすることもできるが、この場合には、６４Ｋバイトを単位としたエラー訂正ブロックで記録再生しながらその中から所望の２Ｋデータセクタが記録再生されることになる。
エラー訂正符号は、ＲＳ（２４８，２１６，３３）となり、１エラー訂正ブロックは、３０４個の訂正符号により構成される。
【０１０８】
２Ｋ（＝２０４８）バイトのデータに４バイトの誤り検出コード（ＥＤＣ）を付加すると、合計のデータ量は、２０５２バイトとなる。１セクタが、２０５２バイトのデータで構成されるとすると、６４Ｋバイトを単位とするエラー訂正ブロックにおいて、２Ｋバイトのセクタは３２個構成できるため、６４Ｋバイトのエラー訂正ブロックのデータ量は、６５６６４（＝２０５２×３２）バイトとなる。
【０１０９】
ところで、先に図１３に示したデータ構造においては、前述もしたように４つのＥＣＣブロックが存在する。つまり、ＥＣＣが付加された１６バイトのユーザデータブロックが４つ存在している。
そして、この図１３に示したデータ構造によりバーストカッティングエリア２を記録する場合の実際として、上記４つのＥＣＣブロックには、同じ内容のユーザデータを記録すべきこととしている。つまり、１つのユーザデータとしての情報を、４重書きするようにして記録している。
このような多重書きはデータ再生の信頼性を高めるために行われる。つまり、４つのＥＣＣブロックを読み込んで再生を行った場合において、或るＥＣＣブロックについてはＥＣＣによる訂正がエラーとなって正常に復号できなかったような場合でも、他のＥＣＣブロックについて正常に復号ができれば、ＢＣＡコードを正常に再生できたことになるわけである。
【０１１０】
従って、例えば再生装置によるバーストカッティングエリア２の再生性能や、バーストカッティングエリア２に記録されるマークの信頼性が、相応に維持されているのであれば、多重書きの回数を削減しても、必要な再生信頼性が確保できることになる。そして、多重書きの回数を削減することによっては、それだけバーストカッティングエリア２に書き込むべきデータサイズを縮小できることになる。これは、例えばディスク１の半径サイズが小さくなるのに応じてバーストカッティングエリア２の半径位置もより内周側となる結果、バーストカッティングエリア２としての円周方向の長さも短くなって、物理的な記録容量が少なくなるような場合に有利となる。
【０１１１】
そこで、図２０に、多重書きの回数を削減した場合に対応したＢＣＡコードの構造例を示す。この図２０に示す構造は、先に示した図１３の構造を基とした上で、この図１３の構造から第２６〜第３３フレームを削除した構造を有している。つまり、ＥＣＣブロック数を４つから３つに削減した構造とされており、従って、この場合には最大で３重書きまでが可能とされていることになる。
【０１１２】
このような図２０に示すＢＣＡコードの構造では、フレームシンクとして必要なのは、フレームシンクＳＢＢＣＡ，−１、ＳＢＢＣＡ，０〜ＳＢＢＣＡ，５、及びフレームシンクＳＢＢＣＡ，−２の８パターンであることになる。
【０１１３】
そして、図２０に示すＢＣＡコードの構造に対応するフレームシンクのパターンについては、図２１のようにして定義することとした。
つまり、ＢＣＡコードの開始を示すフレームシンクＳＢＢＣＡ，−１については、第１基本構造のシンクボディＢ−１（０００１０  ０１００１  ０００００）と、Ｓｙｎｃ  ＩＤ（０００１０）から成るパターンとする。また、ＢＣＡコードの終了を示すフレームシンクＳＢＢＣＡ，−２については、第１基本構造のシンクボディＢ−１（０００１０  ０１００１  ０００００）と、Ｓｙｎｃ  ＩＤについては（００１００）から成るパターンとする。つまり、フレームシンクＳＢＢＣＡ，−１、ＳＢＢＣＡ，−２については、図１４と同様とされる。
【０１１４】
そして、フレームシンクＳＢＢＣＡ，０〜ＳＢＢＣＡ，３のうち、先ず、前半のフレームシンクＳＢＢＣＡ，０〜ＳＢＢＣＡ，２の３つについては、第１基本構造のシンクボディＡ−１（１００００  ００００１  ０１０００）を共通に使用した上で、Ｓｙｎｃ  ＩＤについて、フレームシンクＳＢＢＣＡ，０は（１００００）、フレームシンクＳＢＢＣＡ，１は（０１０００）、フレームシンクＳＢＢＣＡ，２は（００１００）と選択してパターン分けをする。
【０１１５】
また、後半のフレームシンクＳＢＢＣＡ，３〜ＳＢＢＣＡ，５の３つについては、第１基本構造のシンクボディＡ−３（１００００  ００００１  ０００１０）を共通に使用した上で、Ｓｙｎｃ  ＩＤについて、フレームシンクＳＢＢＣＡ，３は（１００００）、フレームシンクＳＢＢＣＡ，４は（０１０００）、フレームシンクＳＢＢＣＡ，５は（００１００）と選択してパターン分けをするものである。
【０１１６】
このようなシンクパターンの定義にあたっても、ＢＣＡコードの開始／終了を示す第１，第２６フレームのフレームシンクＳＢＢＣＡ，−１、ＳＢＢＣＡ，−２については、シンクボディＢを含むフレームシンクの構造とすることで、他の通常のフレームとの弁別をより確実なものとしている。
また、図１４の場合と同様に、既に規格化されているブルーレイディスクにおけるＢＣＡコードのフォーマットに近いものとしており、既存のブルーレイディスク再生装置における設計を応用して、設計段階での効率を考慮している。
なお、これまでの説明によれば、再生信頼性が得られる限りは、ＢＣＡコードを形成するＥＣＣブロック数をさらに削減してもよいということになる。従って、最小では、１つのＥＣＣブロックから成るＢＣＡコードのフォーマットとすることも考えられる。
【０１１７】
５．４−１変調（第２の実施の形態）
５−１．４−１変調規則
上記第１の実施の形態に対応する４−１変調規則は、図５により説明したように、１ワードは、４チャネルビットのデータ部と、これに続く１チャネルビットのギャップ部との５チャネルビットから成るものであることとされている。そして、ギャップ部は、前後のワードにおいて論理値”１”が連続しないようにして、チャネルビット単位でのタイミング検出がより正確なものとなることを目的として設けられるものであると、図６〜図９により説明した。
【０１１８】
しかしながら、上記のようにして論理値”１”としてのマークが連続することでチャネルビットのタイミング検出に誤りが生じる原因とは、連続する複数のマークの再生波形が、１マーク分の振幅波形として得られることに依るからである。換言すれば、論理値”１”としてのマークの連続が原因でチャネルビットのタイミング検出に誤りが生じる場合とは、バーストカッティングエリア２に物理的に記録されるデータとして、１チャネルビット分の物理長に対するマークのデューティ比が１００％であることを前提としていることになる。或いは、デューティ比が１００％未満であっても、連続する複数のマークの再生波形が１マーク分の振幅波形として得られる可能性が高いとされる程度にデューティ比が大きい場合を前提としている。
【０１１９】
このことは、逆にいえば、１チャネルビット分の物理長に対するマークのデューティ比を１００％未満の範囲において、或る一定以下に小さくすれば、連続する複数のマークの再生波形が１マーク分の振幅波形として得られることが無いということになる。つまり、４−１変調規則として、論理値”１”（マーク）の連続を許可したフォーマットとしてよいということになる。
【０１２０】
この点について、図２２を参照して説明する。
図２２（ａ）には、バーストカッティングエリア２に対してマークパターンとして記録されるデータが示されている。ここでは、１ワード単位について、ギャップ部を省略してデータ部のみから成る４チャネルビットとしている。
このように１ワードをデータ部のみの４チャネルビットにより形成した場合には、図２２（ａ）に示す２番目のワードのチャネルビット３と、３番目のワードのチャネルビット０のようにして、論理的にマーク（”１”）が連続する場合が生じることになる。
【０１２１】
しかしながら、この場合には、バーストカッティングエリア２に記録されるチャネルビットの物理長Ｌ１に対して、マーク物理長Ｌ２を一定以下の割合にまで短くしている。つまり、この場合のチャネルビットの物理長に対するマーク物理長のデューティ比は１００％未満の範囲内おいて所定以下の値を有している。
このようなマークのデューティ比が設定されていることにより、図２２（ａ）に示すマークパターンを再生して得られる再生波形としては、図２２（ｂ）に示すものとなる。
つまり、２番目のワードのチャネルビット３と、３番目のワードのチャネルビット０としては、論理値”１”が連続してはいるものの、この部分の波形としては、これら２つの論理値”１”に対応する波形がつながって１つとは成らずに、２番目のワードのチャネルビット３のマークと、３番目のワードのチャネルビット０のマークとのそれぞれに応じたピーク波形が独立して得られることになる。また、これに応じて、再生波形を２値化して得られる信号としても、図２２（ｃ）に示すようにして、２番目のワードのチャネルビット３のマークと、３番目のワードのチャネルビット０のマークとのそれぞれに応じて独立したパルス波形が得られることになる。
そして、この２値化信号についてマークエッジ検出方式によりチャネルビットを検出して再生した場合には、図２２（ｄ）に示すようにして、２番目のワードのチャネルビット３と、３番目のワードのチャネルビット０について、それぞれ論理値”１”であるとして正しく検出できることになる。
【０１２２】
また、図２３には、上記図２２に示した再生チャネルビットの検出をマークセンター検出方式により行う場合が示されており、図２３（ａ）（ｂ）（ｃ）には、図２２（ａ）（ｂ）（ｃ）と同様のマークパターン及び信号波形を示している。そして、これら図２３（ａ）（ｂ）（ｃ）と図２３（ｄ）とを見て分かるように、マークセンター検出方式によっても、２番目のワードのチャネルビット３と、３番目のワードのチャネルビット０について、それぞれ論理値”１”であることを正しく検出することが可能となっている。
【０１２３】
これら図２２及び図２３から分かるように、４−１変調データとして、チャネルビットの物理長に対するマークの物理長のデューティ比を一定以下となるようにして記録すれば、論理値”１”が連続したとしても、この連続する論理値”１”を適正に検出できるということがいえる。
従って、４−１変調データとして、チャネルビットの物理長に対するマークの物理長のデューティ比を一定以下とすることを前提とすれば、図２２及び図２３にも示しているように、４チャネルビットのデータ部のみにより１ワードを形成してもよいということになる。
【０１２４】
そこで、第２の実施の形態としては、４−１変調規則として、図２４のように規定する。
つまり、上記もしているように１ワードは、データ部のみから成る４チャネルビットにより形成する。そして、”２データビットの論理値”→”データ部の論理値パターン（マークパターン）”の対応関係としては、
”００”→”１０００”
”０１”→”０１００”
”１０”→”００１０”
”１１”→”０００１”
とする。つまり、この点については第１の実施の形態と同様としている。
【０１２５】
この第２の実施の形態としての４−１変調規則によると、１ワードが４チャネルビットとされることになるので、符号化効率としては、２データビットを４チャネルビットに変換していることとなり、
２（ｂｉｔ）／４（ｃｈａｎｎｅｌ）
のようにして表されることになる。
ちなみに、例えば第１の実施の形態の４−１変調規則の符号化効率は、
２（ｂｉｔ）／５（ｃｈａｎｎｅｌ）
であったから、
２（ｂｉｔ）／４（ｃｈａｎｎｅｌ）  ＞２（ｂｉｔ）／５（ｃｈａｎｎｅｌ）
となり、第２の実施の形態の４−１変調のほうが、より高い符号化効率とされることになる。
【０１２６】
５−２．フレームシンク
図２５は、第２の実施の形態の４−１変調規則により得られる、通常のデータ列におけるマークパターン例を示している。
この場合において、通常のデータ列において出現するマークの密度が最も低くなる場合とは、図におけるデータ列の左側に示すように、１つ目のマークと、この１つ目のマークの次に出現するとされる２つ目のマークとの位置間隔が８チャネル分となって２／８で表される場合となる。つまり、例えば或る１つのワードのマークパターンが”１０００”となり、これに続くワードのマークパターンが”０００１”となる状態とされる。つまり、”１００００００１”という２ワードによるマークパターンである。
この状態は、第２の実施の形態の４−１変調規則により変調された通常のデータ列において、１つ目のマークと、２つ目のマークとの２つのマークが出現するチャネルビット数の範囲（出現範囲）が最大となる状態でもある。
【０１２７】
また、逆に、通常のデータ列において出現するマークの密度が最も高くなる場合は、図におけるデータ列の右側に示すように、１つ目のマークと３つ目のマークとの位置間隔が６チャネル分とされた上で、２つ目のマークが、１つ目のマークと３つ目のマークとの間の所要のチャネルビットに位置しており、３／６で表される場合となる。
つまり、先ずは、１つ目のマークを含むワードのマークパターンが、”０００１”とされ、チャネルビット４に１つ目のマークが位置するようにされる。また、この１つ目のマークを含むワードの次のワードにおいて、２つ目のマークが任意のチャネルビットに位置するようにされる。そして、２つ目のマークを含むワードの次のワードのマークパターンが、”１０００”とされ、３つ目のマークはデータ部の先頭のチャネルビットに位置するようにされる。このマーク密度が３／６となる例として、図では、”１０１００１”となる場合が示されている。
また、このようなマークパターンは、本実施の形態の４−１変調規則により変調された通常のデータ列において、３つのマークが出現する出現範囲が最小となる状態に相当する。
【０１２８】
つまり、第２の実施の形態の４−１変調規則に従って得られる通常のデータ列におけるマークパターンとして、出現するマークの密度（マーク出現密度）は、最小が２／８で、最大が３／６の範囲内であり、この範囲外のマーク出現密度になることは無いということになる。
このことから、第２の実施の形態のフレームシンクとしては、上記したマーク出現密度の範囲外となるようなマークパターンを有して形成すればよいということになる。
【０１２９】
そこで第２の実施の形態では、図２６及び図２７に例示するようにしてシンクパターンを設定する。第２の実施の形態としても、フレームシンクの種別は、大別してシンクボディＡ（Ｓｙｎｃ  ｂｏｄｙ  Ａ）を含むものと、シンクボディＢ（Ｓｙｎｃ  ｂｏｄｙ  Ｂ）を含むものとに分かれる。
【０１３０】
図２６には、シンクボディＡを含むフレームシンクが示される。なお、第２の実施の形態としても、シンクボディＡを含むフレームシンクの基本構造としては、図２６（ａ）に代表される第１基本構造と、図２６（ｄ）に示す第２基本構造を有する。先ず、図２６（ａ）により第１基本構造について説明する。
【０１３１】
第２の実施の形態としてのシンクボディＡは、図２６（ａ）に示すように３ワード（＝第１〜第１２チャネルビット）から成る。そして、この３ワードにおいて、第１〜第９チャネルビットの９チャネルビットにより、マーク出現密度が２／９となる、”１０００００００１”というマークパターンを設定する。つまり、ここでいうシンクボディＡとは、最小のマーク出現密度である２／８よりも低いマーク出現密度として、２／１０となるマークパターンを有するシンクボディとなる。
【０１３２】
この場合、シンクボディＡにおいては、第１０〜第１２チャネルビットの３チャネルビットが残ることになる。第２の実施の形態では、この３チャネルビットにおいて、図２６（ａ）（ｂ）（ｃ）のパターンとして示すように、マーク選択性を与えることができる。
【０１３３】
つまり、図２６（ａ）に示す、”１０００００００１０１０”のマークパターンを有するシンクボディＡ−１と、図２６（ｂ）に示す”１０００００００１１００”のマークパターンを有するシンクボディＡ−２と、図２６（ｃ）に示す”１０００００００１００１”のマークパターンを有するシンクボディＡ−３との間での３パターンの選択性が与えられる。
ここで、前述もしたように、第２の実施の形態としては、マークのデューティ比を一定以下とすることで、データ列において論理値”１”が連続してもよいこととしている。これにより、例えば図２６（ｂ）に示すようにして、シンクボディＡの第９チャネルビットと第１０チャネルビットとでマークが連続しても問題は無い。また、図２６（ｃ）に示す場合も、Ｓｙｎｃ  ＩＤにおける先頭チャネルビット（チャネルビット０）にマークが位置した場合には、第１２チャネルビットとＳｙｎｃ  ＩＤの先頭チャネルビットとでマークが連続することになるが、これも許可されるものである。
【０１３４】
そして、この場合にも、シンクボディＡに続けては、１ワード分のＳｙｎｃ  ＩＤを設けた場合が示されており、そのパターンとしては、図２６（ｅ）（ｆ）（ｇ）（ｈ）に示すようにして、４通りとなる。
従って、第２の実施の形態としても、シンクボディＡと１つのＳｙｎｄ  ＩＤから成るフレームシンクとしては、３×４＝１２パターンの選択性が得られることになる。
【０１３５】
また、シンクボディＡの第２基本構造としては、図２６（ｄ）に示すようにして、シンクボディＡとしての３ワード（第１〜第１２チャネルビット）において、マーク出現密度が２／９となる”１０００００００１”のマークパターンを第４チャネルビットから第１２チャネルビットまでの９チャネルビットの領域に割り当てる。そして、第１〜第３チャネルビットについて、第１基本構造のシンクボディＡの第１０〜第１２チャネルビットと同様に、矢印ａ，ｂ，ｃで示すように３パターンのマーク選択性を与えるようにされる。
また、この第２基本構造をとるフレームシンクとしても、シンクボディＡの後ろに１ワード分のＳｙｎｃ  ＩＤを１つ追加することで、Ｓｙｎｃ  ＩＤにより４パターンのマーク選択性が与えられるので、この図に示す第２基本構造のフレームシンク全体としても１２パターンの選択性を有することになる。
【０１３６】
続いて、図２７を参照して、第２の実施の形態におけるシンクボディＢを含むフレームシンクについて説明する。
シンクボディＢの第１基本構造しても、図２７（ａ）に示すように３ワード（＝１２チャネルビット）とする。そして、これら３ワードを形成する第１チャネルビット〜第１２チャネルビットのうち、第５チャネルビット〜第９チャネルビットまでの５チャネルビットの領域に、マーク出現密度が３／５となるマークパターンを割り当てる。ちなみに、図２７（ａ）では、”１０１０１”というマークパターンを割り当てている。つまり、シンクボディＢは、最大のマーク出現密度である３／６よりも高いマーク出現密度として、３／５となるマークパターンを含ませている。
【０１３７】
ここで、シンクボディＢにおいて、上記マーク出現密度が３／７となるマークパターン（”１０１０１”）以外の領域である、第１〜第４チャネルビットと、第１０〜第１２チャネルビットには、固定的に論理値”０”が設定される。その理由は、第１の実施の形態のシンクボディＡの場合と同様であり、これらのチャネルビットのいずれか１つにでもマークを設定したとすると、シンクボディＢにおけるマーク出現密度が３／５となるマークパターンが成立しなくなるからである。
【０１３８】
そして、このシンクボディＢとしては、第５〜第９チャネルビットによるマーク出現密度が３／５となるマークパターンにおいて、１番目と３番目のマークの間に出現する２番目のマークのチャネルビット位置ついて、３パターンの選択性が得られる。
つまり、図２７（ａ）に示すマーク出現密度３／７のマークパターンでは、”１０１０１”となっており、２番目のマークは、シンクボディＢにおける第７チャネルビットに位置させている。この図２７（ａ）に示す”１０１０１”のマークパターンを有するシンクボディについて、シンクボディＢ−１ということにすると、図２７（ｂ）（ｃ）に示すようにして、マーク出現密度３／７のマークパターンにおける２番目のマークのチャネルビット位置を、”１１００１”、”１０００１”のように変更することで、シンクボディＢ−２、Ｂ−３としてのパターンを得ることができる。
このようにして、シンクボディＢとしても最大で３パターンの選択性を与えることが可能となる。
【０１３９】
また、シンクボディＢを有するフレームシンクとしても、例えば１つのＳｙｎｃ  ＩＤを付加した構造とすれば、図２７（ｅ）（ｆ）（ｇ）（ｈ）に示すようにして、４パターンの選択性が与えられている。
従って、図２７に示すシンクボディＢを有するフレームシンクとしても、図２６のシンクボディＡを有するフレームシンクと同様、シンクボディＢとしての３パターン、Ｓｙｎｃ  ＩＤとしての４パターンによる１２（＝４×３）パターンの選択性が与えられることになる。
【０１４０】
また、シンクボディＢの基本構造としても、上記図２７（ａ）（ｂ）（ｃ）に示したマークパターンによる第１基本構造に対して、さらに、もう１つの基本構造である第２基本構造を設定できる。
つまり、図２７（ｄ）に示すようにして、シンクボディＢとしての３ワード（第１チャネルビット〜第１２チャネルビット）において、マーク出現密度が３／７となるマークパターン（”１０１０１”）を、第４〜第９チャネルビットまでの５チャネルビット分の領域に割り当てる。
【０１４１】
この場合にも、シンクボディＢにおいて、マーク出現密度が３／７となるマークパターンが割り当てられた第５〜第９チャネルビット以外のチャネルビットについては、第１基本構造の場合と同様の理由によって、固定的に論理値”０”を設定する。
また、シンクボディＢを含むフレームシンクとして、第２基本構造をとる場合にも、マーク出現密度が３／５となるマークパターンとして、”１０１０１”、”１１００１”、”１００１１”の３パターンを選択し得る。従って、第２基本構造をとるシンクボディＢとしても、最大で３パターンの選択性を与えることができる。
さらに、フレームシンクの構造として、シンクボディＢに続けて、１ワードのＳｙｎｃ  ＩＤを１つ追加することで、フレームシンクとして１２パターンの選択性が与えられることになる。
【０１４２】
そして、第２の実施の形態としても、第１の実施の形態と同様の理由によって、第１基本構造又は第２基本構造の何れか一方のシンクボディＡを含むフレームシンクと、同じく、第１基本構造又は第２基本構造の何れか一方のシンクボディＢを含むフレームシンクとを、同時採用することができる。
この結果、例えば図２６及び図２７に示したように、１つ（１ワード分）のＳｙｎｃ  ＩＤが追加されている場合には、最大で２４（＝１２×２）パターンの選択性が得られることになる。
【０１４３】
なお、この第２の実施の形態に対応した４−１変調規則によりバーストカッティングエリア２にデータを記録するのにあたっても、図１３〜図２０に示したデータフォーマットを適用すればよい。従って、この場合にも、図１３と図２０との比較として示したように、ＢＣＡコード全体の構造としては、４重書きを採用してもよいし、３重書きを採用してもよいものとされる。
【０１４４】
これまでの説明から理解されるようにして、上記第１及び第２の実施の形態としては、先行技術としての４−１変調の場合よりも、符号化効率が高められていることになる。つまり、符号化効率として先行技術は、
２（ｂｉｔ）／７（ｃｈａｎｎｅｌ）
であるのに対して、第１の実施の形態及び第２の実施の形態は、それぞれ、
２（ｂｉｔ）／５（ｃｈａｎｎｅｌ）
２（ｂｉｔ）／４（ｃｈａｎｎｅｌ）
となる。
【０１４５】
従って、第１及び第２の実施の形態によっては、ディスクにおける或る一定の接線方向の距離となる（物理的記録容量サイズ）に対して、より多くのデータを記録することが可能となるものである。
【０１４６】
また逆に、先行技術と実施の形態とで、記録すべきソースデータのサイズが同等であり、かつ、バーストカッティングエリア２に記録される４−１変調データのチャネルビットの物理長（Ｌ１）が同じであると仮定すると、先行技術よりも、実施の形態のほうが、バーストカッティングエリア２として記録すべきＢＣＡコード全体の接線方向の物理長が短くなる。
具体的には、上記したＢＣＡコード全体の接線方向の物理長として、第１の実施の形態については、先行技術に対して、ほぼ５／７にまで短縮されることになる。第２の実施の形態については、先行技術に対して、ほぼ４／７にまで短縮されることになる。
【０１４７】
さらに、そして、例えば先に図２０に示したように、ＢＣＡコード全体として４重書きの構造から３重書きの構造とすることで、ＢＣＡコード全体としてのデータサイズも図１３と比較すれば、ほぼ３／４倍となる。
従って、図２０に示した３重書きの構造を採用すれば、第１の実施の形態では、
５／７×３／４＝１５／２８
にまでＢＣＡコード全体の接線方向の物理長を短縮できることになる。同様に、第２の実施の形態では、
４／７×３／４＝１２／２８
にまで短縮されることになる。
【０１４８】
そして、このようにして符号化効率が向上され、これに伴って、或る一定量のソースデータをバーストカッティングエリア２として記録するための物理長が短縮されることによっては、現状よりも内周側の半径位置に対してバーストカッティングエリア２を形成してデータ記録を行うことが可能になる。
一例として、現状のブルーレイディスクでは、図１３〜図１９により説明したフォーマットに準拠するようにして、バーストカッティングエリア２にデータを記録している。このブルーレイディスクにおいて、バーストカッティングエリア２が形成されるのは、ディスク中心から約２１ｍｍ〜２２ｍｍの範囲とされている。
これに対して、第１の実施の形態、及び第２の実施の形態を適用すれば、現状のブルーレイディスクと同等のデータ量を記録するのにあたあり、バーストカッティングエリア２は、ディスク中心から約１１ｍｍの位置に記録することが可能となるものである。
そして、このことは、ディスク半径サイズが縮小して、ディスクそのものの小型化を図ったときに非常に有効となる。つまり、ディスクを小型化した場合においては、或る一定以上のユーザデータの記録可能容量を保とうとすれば、データエリア３としての領域を相応に広く取らざるを得ないが、これによっては、バーストカッティングエリア２として使用可能なディスク半径位置が、よりディスク中心に近くなる。この場合、バーストカッティングエリア２として使用可能な接線方向の物理長（物理的記録容量）はその分小さくなってしまう。このため、必要なだけのデータ量を書き込めなくなる場合が生じる可能性がある。
そこで、第１の実施の形態、若しくは第２の実施の形態としての４−１変調を採用すれば、このような場合にも対応して、必要なデータ量を記録していくことが可能となってくるものである。
【０１４９】
また、ここでバーストカッティングエリア２に記録される４−１変調データのマークについてのデューティをどのように設定すべきかについて述べておく。
データ部とギャップ部とにより１ワードを形成する第１の実施の形態としての４−１変調規則では、変調後のデータ列において論理値”１”のチャネルビットが連続することを禁止している。
このために、第１の実施の形態において、チャネルビットの物理長Ｌ１に対するマークの物理長Ｌ２の比率（Ｌ２／Ｌ１）であるデューティ比としては、１００％とすることができる。これに対して、第２の実施の形態では、変調後のデータ列において論理値”１”のチャネルビットが連続してもよいこととしているので、上記マークのデューティ比については、１００％未満であることが必要とされる。
【０１５０】
しかしながら、再生信頼性の観点からすると、検出に充分な検出信号の振幅が得られさえすれば、第１の実施の形態としても、マークのデューティ比について１００％未満とすることについて、何ら問題は無いということになる。実際においては、デューティ比を５０％程度としても、充分に高い信頼性を以てマーク検出が行えると考えられている。
例えば、第１の実施の形態では、５チャネルビットの領域に１チャネルビット分のマークが必ず存在するので、マークデューティ比（Ｌ２／Ｌ１）をｎとすれば、バーストカッティングエリア２に物理的に記録されるデータ列における平均のマーク存在比率は、ほぼｎ／５で表されることになる。
ちなみに、先行技術では、７チャネルビットの領域に２チャネルビットのマークが存在するから、そのマーク存在比率は、２ｎ／７で表される。
【０１５１】
周知のようにして、例えばブルーレイディスクなどにおけるバーストカッティングエリアの再生は、トラッキングサーボ制御を伴わず、メカ精度により光学ピックアップをバーストカッティングエリアに対してアクセスさせている。このため、バーストカッティングエリアの半径方向における幅は、上記したメカ精度によるアクセスが可能なように、相応に広いものとなっている。
しかしながら、上記したようにディスクを小型化した場合において、できるだけユーザデータのための記録容量（つまりユーザデータエリアとしてのディスク半径方向の幅）を確保したいとすれば、バーストカッティングエリア２としての幅については、できるだけ狭いものとすることが要求されることになる。このために、バーストカッティングエリア２についてもトラッキングサーボ制御によってアクセスさせるべきことが考えられている。
トラッキングサーボ制御をかけることを考えた場合、できるだけ安定したトラッキングエラー信号が生成されることが必要となるが、そのためには、バーストカッティングエリアとしての反射率が、或る程度以上保たれていることが求められる。また、トラッキングサーボ制御をかけないとしても、フォーカスサーボ制御をかけることは必須となるので、フォーカスサーボ制御のみをかけることを考えても、一定以上の反射率が確保されることが好ましい。
【０１５２】
この点からすると、バーストカッティングエリア２に記録されるデータとしては、反射率が低くなる領域であるマークの存在比率は、小さい方が好ましいということになる。
そこで、マーク存在比率について比較してみると、第１の実施の形態はｎ／５であり、先行技術は２ｎ／７であるから、ｎ／５＜２ｎ／７となる。従って、同じマークのデューティでは、第１の実施の形態のほうが、先行技術よりもマーク存在比率が小さくなっている。また、第２の実施の形態のマーク存在比率は、ｎ／４であるから、これも先行技術より小さいものとなる。
このことから、サーボ制御の信頼性を高めるという点でも、先行技術よりも、各実施の形態のほうが有利であることになる。つまり、バーストカッティングエリア２を再生するためのフォーカスサーボをより安定させ、さらに、バーストカッティングエリア２の再生のためにトラッキングサーボ制御をかけるときにも、このトラッキングサーボ制御を安定させることが可能となり、より高い再生信頼性を得ることが可能となる。
【０１５３】
上記したことによると、マークのデューティ比を小さくしてマーク存在比率を小さくするほど反射率は高くなって、サーボ制御が安定することにはなるのであるが、逆にマークのデューティ比が小さくなりすぎて、マークの物理長Ｌ２が短すぎると、マークを適正に検出することができなくなるという問題が生じる。従って、マークのデューティ比を１００％未満とする場合の、チャネルビットの物理長Ｌ１と、マークの物理長Ｌ２との関係は、要求されるサーボ制御の安定性と、マーク検出の信頼性とのバランスにより設定されるべきものとなる。
【０１５４】
また、マークの物理長Ｌ２を固定として考えた場合、マークデューティ比を１００％未満とした場合と、１００％とした場合との相違について、図２８を参照して説明する。
図２８（ａ）には、マークのデューティ比が１００％未満とされる１ワード分の４−１変調データ列が示されている。ちなみに、この図２８（ａ）では、マークのデューティ比が約５０％程度に設定されている場合を模式的に示している。
この場合において、マークの物理長ＬＢを基準として考えると、チャネルビットの物理長ＬＡは、マークの物理長ＬＢよりも大きくする必要があることになる。
【０１５５】
これに対して、図２８（ｂ）には、マークのデューティ比を１００％とした場合を示している。マークのデューティ比を１００％としたことに応じては、マークの物理長とチャネルビットの物理長は共にＬＢであることになる。
【０１５６】
１ワード分の物理長としては、（チャネルビットの物理長）×（１ワードを形成するチャネルビット数）ということになる。これは、１ワードを形成するチャネルビット数がほぼ同等である場合においては、１ワード分の物理長は、チャネルビットの物理長に依存する度合いが高くなってくることを意味する。
従って、例えば図２８（ａ）（ｂ）の比較として示すように、デューティ比の設定によっては、第２の実施の形態に対応する４チャネルビットで１ワードを形成し、１００％より低いマークのデューティ比とした場合よりも、第１の実施の形態に対応する５チャネルビットで１ワードを形成し、マークのデューティ比を１００％とした場合のほうが、１ワード全体の物理長が短くなる場合があることになる。
例えば、図２８（ａ）に示すマークのデューティ比が５０％であるとすると、ＬＡ＝２ＬＢであるから、１ワード全体の物理長は、４×（ＬＡ）＝８×（ＬＢ）で表されることになる。
これに対して、図２８（ｂ）の場合には、ＬＡ＝ＬＢであるから、１ワード全体の物理長は、５×（ＬＢ）で表されることになる。
このようにして、マークのデューティ比を１００％に近づけるほど、１ワード内におけるマーク密度は高くなり、マーク密度が高くなるほど、単位チャネルビット数あたりの物理長を短いものにでき、結果的に高記録密度化には有利となる。ちなみに、図２８（ａ）のワード単位のマーク密度は、デューティ比ｎ＝０．５（５０％）とすると、ｎ／４＝１／８となる。これに対して、図２８（ｂ）のワード単位のマーク密度は、１／４となる。
【０１５７】
つまり、マークのデューティ比は小さいほどマーク存在比率は小さくなってサーボ制御は安定する傾向となるが、マーク密度も小さくなるから、単位チャネルビット数あたりの物理長は長くなる傾向となる。逆に、マークのデューティ比が大きいほどマーク存在比率も大きくなってサーボ制御は安定化しなくなる傾向となるが、マーク密度が小さくなることで、単位チャネルビット数あたりの物理長は短くなる。
従って、例えばマークのデューティ比は、前述したように、サーボ制御の安定性と、マーク検出の信頼性とのバランスを考慮する他に、必要な記録密度（マーク密度）を考慮して設定されるべきものとなる。
また、このことから、４−１変調規則として、第１の実施の形態に対応する規則と、第２の実施の形態に対応する規則との何れを採用し、また、採用した４−１変調規則のもとで、マークのデューティ比をどのように設定するのかについても、少なくとも、上記した要素を考慮して決定することとなる。
【０１５８】
６．バーストカッティングエリア記録装置
続いて、上記第１又は第２の実施の形態に対応した４−１変調規則により変調されたデータを、バーストカッティングエリア２として記録するための記録装置ＢＣＡ記録装置）について、図２９を参照して説明する。このようなＢＣＡ記録装置は、製造時において、バーストカッティングエリア２を記録するためのものとされる。
【０１５９】
バーストカッティングエリア２に記録すべきソースデータとしてのデータは、入力端子ＩＮからレジスタ１０１に対して入力され、ここで保持される。
ＥＣＣ回路２０は、上記レジスタ１０１に保持されているソースデータを利用して誤り訂正符号を生成し、例えば図９〜図１９、又は図２０，図２１により説明したフォーマットによるＥＣＣブロックを形成する。このようにして生成されたＥＣＣブロックは、４／１変調部２２に対して入力される。
【０１６０】
４／１変調部１０２では、ＶＣＯ（Ｖｏｌｔａｇｅ  Ｃｏｎｔｒｏｌｌｅｄ  Ｏｓｃｉｌｌａｔｏｒ）３３から入力されるクロック（チャネルクロック）に従ったタイミングにより、レジスタ２１から順次読み出されるＥＣＣブロックのデータについて４／１変調を施すと共に、フレームシンクを生成してしかるべき位置に挿入していく。これにより、例えば図１３に示したようなＢＣＡコードとして、４−１変調されたデータ列が生成されることになる。
なお、４／１変調部１０２による変調処理は、例えば先に図５に示した第１の実施の形態に対応する４−１変調規則、又は図２４に示した第２の実施の形態に対応する４−１変調規則に従ったものとなる。また、生成、挿入されるフレームシンクとしても、第１の実施の形態に対応しては、図１４又は図２１に示したものとなり、また、第２の実施の形態に対応しては、図２６及び図２７に示したフレームシンクを、図１４又は図２１に適用したものとなる。
【０１６１】
レーザ１０３は、例えば、ＹＡＧレーザ等であり、高出力のレーザビームをミラー１０４及び対物レンズ１０５を介してディスク１に照射する。対物レンズ１０５は、例えば、シリンドリカルレンズを含み、入射されたレーザビームを、ディスク１のバーストカッティングエリア２とすべき領域に照射する。これにより、論理値”１”に対応する領域をマークとして形成するようにして、光ディスク１の反射膜がバーコード状に非可逆的に変化されることになる。つまり、４−１変調されたソースデータをバーストカッティングエリア２として、書き換え不可の状態で記録したことになる。
【０１６２】
ここで、上記のようにして、バーコード形態により情報を記録してバーストカッティングエリア２を形成するのにあたっては、例えば、ディスク種別に応じて、次のようにして行われる。
【０１６３】
まず、ユーザデータが記録されるデータエリアが、相変化方式に対応した信号記録層を有して形成される場合には、バーストカッティングエリア２を形成すべき領域についても、相変化方式に対応した信号記録層を有している。
【０１６４】
この場合において、例えばディスク１の製造段階での初期化前の状態では、信号記録層はアモルファスの状態にある。例えばデータエリア３については、領域全体に対して、例えば高出力半導体レーザによるレーザ光を照射して初期化を行うことで、アモルファスからクリスタルの状態に変化させるようにしている。
バーストカッティングエリア２の信号記録層も、初期化前においてはアモルファスの状態にある。そして、初期化に伴っては、このバーストカッティングエリア２全体を初期化してクリスタルの状態にするのではなく、例えばディスクＩＤの内容に対応したバーコードのパターンに対応させて、円周方向における所要の部分についてのみ、上記レーザ１０３によるレーザ光の照射を行ってクリスタル状態とする。この工程の結果、バーストカッティングエリア２においては、円周方向に沿った所要幅のアモルファス状態のバー部分と、クリスタル状態のバー部分とのパターンによる、バーコード態様の情報記録が行われたことになるものである。
【０１６５】
また、参考のために、例えばＤＶＤなどに採用されているバーストカッティングエリアを形成する工程は次のようになる。つまり、バーストカッティングエリアとしての領域に相変化方式に対応した信号記録層を形成する代わりに、アルミを蒸着させる。この後に、ＹＡＧレーザにより蒸着されたアルミ層の所要の部位を焼き切るようにしていくことで、バーコードのパターンを形成するものである。
【０１６６】
ところで、上記のようにして、アモルファス層とクリスタル層によるパターンによりバーストカッティングエリアを形成する場合、その形成のための工程としては、厳密には、バーストカッティングを行っているとは言えない。しかし本明細書上では、説明の便宜上、このような形成工程により情報記録されるエリアについてもバーストカッティングエリアいうこととする。
【０１６７】
図２９において、スピンドルモータ１０７は、スピンドルサーボ制御部１０８のスピンドル制御によって回転駆動されることで、装填されたディスク１を回転させる。また、このスピンドルモータ１０７に設けられたＦＧ（Ｆｒｅｑｕｅｎｃｙ  Ｇｅｎｅｒａｔｏｒ）  １１４からは、ディスクが所定の角度だけ回転する毎に１つのパルスとなる周波数検出信号を発生し、スピンドルサーボ制御部１０８に出力する。スピンドルサーボ制御部１０８は、例えば、コントローラ１０９の制御の下で、スピンドルモータ１０７から入力される周波数検出信号を基に、例えば一定角速度（ＣＡＶ）による所定の回転速度でスピンドルモータ１０７が回転するように、スピンドルモータ２７の回転速度を制御する。また、スピンドルサーボ制御部１０８は、スピンドルモータ１０７から入力される周波数検出信号を、コントローラ１０９及び位相比較器１１１に出力する。
【０１６８】
コントローラ１０９は、例えばマイクロコンピュータなどにより構成され、前述のようにして、スピンドルサーボ制御部２８の動作をコントロールする。また、ＦＧ１１４から出力される周波数検出信号ＳＦＧに応じては、分周器１１０の分周比を可変するための制御も実行する。
【０１６９】
分周器１１０、位相比較器１１１、ローパスフィルタ（Ｌｏｗ  Ｐａｓｓ  Ｆｉｌｔｅｒ）１１２、及びＶＣＯ１１３により、ＰＬＬ（Ｐｈａｓｅ  Ｌｏｃｋｅｄ  Ｌｏｏｐ）回路が形成される。
分周器１１０は、ＶＣＯ１１３が出力する発振周波数信号、つまり、チャネルクロックを入力して所定の分周比により分周し、その分周して得られる周波数信号を位相比較器１１２に対して出力する。位相比較器１１１は、分周器１１０から入力されるクロックと、スピンドルサーボ制御部１０８から入力される周波数検出信号ＳＦＧとの位相を比較して位相差信号を生成し、ローパスフィルタ１１２に対して出力する。ローパスフィルタ１１２は、入力された信号から高周波成分を除去して、位相誤差に応じた直流電圧成分を生成し、ＶＣＯ１１３に対して出力する。ＶＣＯ３３は、ローパスフィルタ１１２から入力される電圧レベルに応じて、チャネルクロックとしての発振周波数を可変して出力する。
【０１７０】
ＰＬＬ回路がロックしている状態では、分周器１１０の出力と、周波数検出信号ＳＦＧとの位相差が一定となるようにＶＣＯ１１３から出力される発振信号の周波数、つまり、チャネルクロック周波数が制御される。
これにより、チャネルクロック周波数は、分周器１１０の分周比を１／Ｎとすると、周波数検出信号ＳＦＧのＮ倍となり、周波数検出信号ＳＦＧに同期することになる。４／１変調部２２は、このチャネルクロックに従ったタイミングで、ＢＣＡコードとしてのデータを、レーザ１０３に出力することになる。
【０１７１】
続いて、上記構成による記録装置によりバーストカッティングエリア２に情報記録を行うための手順について、図３０のフローチャートを参照して説明する。
先ず、ステップＳ１０１としての手順により、レジスタ２１は、バーストカッティングエリア２に記録すべき情報（記録情報）を入力端子ＩＮから入力して保持する。ＥＣＣ回路１００は、ステップＳ１０２としての処理により、記録情報を、ＲＳ（リードソロモン）符号であるＲＳ（２４８，２１６，３３）を用いて所要数のブロック分に符号化する。例えば図１３に対応するフォーマットであれば４ブロック分の符号化を行い。図２０に対応するフォーマットであれば、３ブロック分の符号化を行う。また、ＥＣＣ回路１００は、次のステップＳ１０３の処理として、パリティを演算し、ステップＳ１０４によりＥＣＣブロックの集合を構成する。つまり、図１３又は図２０などに示す構造のＢＣＡコードを構成する。
【０１７２】
そして、例えばディスク１へのバーストカッティングエリア２の記録を開始するための指示が行われるのに応じて、コントローラ１０９は、ステップＳ１０５としての処理により、スピンドルサーボ制御部１０８を制御し、スピンドルモータ１０７を例えば、一定角速度（ＣＡＶ）で回転駆動させる。スピンドルモータ２７の回転に応じて、ＦＧ１１４は、回転速度に対応する周波数検出信号ＳＦＧを発生させ、スピンドルサーボ制御部１０８に出力する。スピンドルサーボ制御部１０８は、この周波数検出信号ＳＦＧを位相比較器１１１に対して出力する。
この周波数検出信号ＳＦＧが入力される位相比較器１１１による位相誤差検出信号に基づいて、前述のようにして、ＰＬＬ回路（分周器１１０、位相比較器１１１、ローパスフィルタ１１２、ＶＣＯ１１３）がロックするようにして動作することで、ステップＳ１０６の手順により、ＶＣＯ１１３から出力される発振周波数信号として、ディスク１の回転速度に同期したチャネルクロックが生成される。
【０１７３】
ここで、前述もしたように、ＶＣＯ１１３から出力されるチャネルクロックは、周波数検出信号ＳＦＧのＮ倍の周波数を有しているものであり、このチャネルクロックの周波数は、分周器１１０において設定される分周比Ｎに応じて決定されることになる。換言すれば、分周器１１０の分周比Ｎにより、バーストカッティングエリア２への信号記録に対応して規定されたチャネルクロック周波数を設定できる。
【０１７４】
次のステップ１０７の手順として、４−１変調部１０２は、ＶＣＯ１１３から入力されるチャネルクロックのタイミングに基づいて、ＥＣＣ回路１００にて記録情報に誤り訂正符号を付加して形成した記録データに対して、４−１変調（ここではフレームシンクの付加処理も含む）を施し、レーザ１０３に出力する。レーザ１０３に出力されるデータは、例えば図１３又は図２０に示した構造が４−１変調された、チャネルビットの連続により形成されるデータ列であり、チャネルクロックに従ったものとなる。また、このときには、フレームシンクを発生させてフレームの先頭に挿入することが行われる。このときに発生されるフレームシンクのパターンは、第１の実施の形態であれば、図１４に示したものとなり、第２の実施の形態であれば、図２０に示したものとなる。
レーザ１０３は、ステップＳ１０８の手順として、４−１変調部１０２から入力されたデータに応じたレーザビームを発生し、ミラー２４と対物レンズ２５を介して光ディスク１に照射させる。これにより、先に説明したような原理によって、バーストカッティングエリア２としてのデータ記録領域が形成されることになる。
【０１７５】
なお、バーストカッティングエリア２に記録すべきマークについて、１００％未満の所定のデューティ比としたい場合として、例えば３０μｍのチャネルビット長のうち１０μｍだけをマークとしたいとする場合には、分周器１１１の分周比設定により、ＶＣＯ１０３から出力されるクロックについて、チャネルクロックの３倍の周波数信号が得られるように動作させる。この場合においては、１チャネルビットの１００％分が３クロック分となるから、２番目のクロックのタイミングにおいてのみマークが形成されるようなレーザ光が照射されるように構成すればよい。
【０１７６】
７．ビデオカメラ装置（データ記録再生装置）
続いては、上記のようにしてバーストカッティングエリア２が記録される本実施の形態のディスク１に対応して、データエリア３に対してユーザデータの記録再生を行うことのできる記録再生装置について説明する。本実施の形態の記録再生装置としては、カメラ装置とビデオ装置とが組み合わされたビデオカメラ装置であることとする。
【０１７７】
図３１は、本実施の形態としてのビデオカメラ装置全体の構成例を示している。この図に示すようにして、ビデオカメラ装置全体としては、主として、カメラ部２００、カメラ信号処理部２０１、カメラコントローラ２０２、及びメディアドライブ部２０４とから成る。
【０１７８】
カメラ部２００において、光学ブロック２１１は、例えば、撮像のための光学レンズ、フォーカス調整機構、及び絞りなどの光学系を備えるブロックである。例えばフォーカシングや絞りなどの制御は、後述するＣＰＵ２２１の制御に応じて、光学ドライバ２１４が光学ブロック２１１の所定の機構部位等を制御することで行われる。
光学ブロック２１１により撮像された撮像光（画像光）は、ＣＣＤ（Ｃｈａｒｇｅ  Ｃｏｕｐｌｅｄ  Ｄｅｖｉｃｅ）２１２にて受光される。ＣＣＤ２１２は、ＣＣＤドライバ２１５かららの駆動信号に応じて動作し、上記のようにして、受光した撮像光を、タイミング生成回路２１６から出力されるタイミング信号に基づいて、電気信号に変換して後段の前処理回路２１３に対して出力する。
前処理回路２１３では、ＣＣＤ２１２から入力された電気信号について、例えばＣＤＳ（Ｃｏｒｅｌａｔｅｄ  Ｄｏｕｂｌｅ  Ｓａｍｐｌｉｎｇ）処理を実行して信号のＳ／Ｎ比を良好に保つようにすると共に、ＡＧＣ（Ａｕｔｏｍａｔｉｃ  Ｇａｉｎ  Ｃｏｎｔｒｏｌ）処理により信号のゲイン調整を実行する。そして、最終的には、Ａ／Ｄ変換を行うことでデジタル信号に変換された映像信号を出力する。
【０１７９】
上記前処理回路２１３から出力されたデジタル映像信号は、カメラ信号処理部２０１に対して入力される。
カメラ信号処理部２０１では、入力されたデジタル映像信号について、例えばＡＥ（Ａｕｔｏ  Ｅｘｐｏｓｕｒｅ）といわれる自動露出制御、自動ホワイトバランス調整（Ａｕｔｏ  Ｗｈｉｔｅ  Ｂａｌａｎｃｅ）などをはじめとした、撮像映像信号に対応した所要の信号処理を施す。そして、例えば所定の画像圧縮フォーマットによる圧縮処理を施すようにもされる。なお、カメラ信号処理部２０１では、上記した信号処理を実行するのにあたり、必要に応じて、ＳＤＲＡＭ２０３を作業領域として利用するようにされる。このために、カメラ信号処理部２０１には、ＳＤＲＡＭ２０３に対するデータの書き込み／読み出しを制御するためのＳＤＲＡＭコントローラとしての機能部位を備える。
このようにしてカメラ信号処理部２０１にて得られた圧縮映像信号は、メディアドライブ部２０４に転送することで、このメディアドライブ部２０４に装填されたディスク１に対してユーザデータとして記録することが可能とされる。
また、カメラコントローラ２０２のＣＰＵ２０２の制御に応じて、システムバス２２５を経由してＬＣＤコントローラ２０６に出力させることで、撮像により得られる映像信号をＬＣＤ（Ｌｉｑｕｉｄ  Ｃｒｙｓｔａｌ  Ｄｉｓｐｌａｙ）２０７に表示させることもできる。
【０１８０】
カメラコントローラ２０２は、ＣＰＵ（Ｃｅｎｔｒａｌ  Ｐｒｏｃｅｓｓｉｎｇ  Ｕｎｉｔ）２２１と、ＲＡＭ２２２，及びＲＯＭ２２３をシステムバス２２５により接続した構成を採っている。この場合のカメラコントローラ２０２は、時計回路２２４を備える。
ＣＰＵ２２１は、例えばＲＯＭ２２３に記憶保持された各種プロラムに従って、ビデオカメラ装置に関する各種所要の制御処理を実行する。また、ＣＰＵ２２１には、操作部２０５が接続されている。この操作部２０５は、例えばビデオカメラ装置本体に備えられる各種操作子から成るもので、これらの操作子に対して行われた操作に応じた操作コマンドをＣＰＵ２２１に対して出力する。ＣＰＵ２２１は、操作コマンドに応じた動作が得られるように所要の動作制御を実行することになる。
【０１８１】
ＲＯＭ２２３には、上記もしているように、ＣＰＵ２２１が実行すべきプログラムが記憶保持される。また、ＣＰＵ２２１が制御処理を実行するのに利用すべき、書き換え不可の各種の設定情報も記憶されている。ＲＡＭ２２２は、ＣＰＵ２２１のための作業領域であり、ＣＰＵ２２１が実行すべきプログラムが展開される。また、ＣＰＵ２２１が処理を実行するのに応じて発生する各種演算値なども保持される。
時計部２２４は、例えば水晶発振子などを備え、例えば現在時刻を計時するように構成されている。ＣＰＵ２２１は、この時計部２２４にて計時されている現在時刻情報を取り込んで、所要の制御処理に用いることができる。例えば、この時刻情報を撮影日時の情報として扱って処理することが可能である。
【０１８２】
また、ＬＣＤ２０７には、上記した撮像により得られた映像信号のほか、ＣＰＵの制御によって、各種操作のためのユーザインターフェイス画像も表示出力可能とされる。
メディアドライブ部２０４にてディスク１から映像データを再生した場合には、この再生された映像データがカメラ信号処理部２０１においてデコードされ、デジタル映像信号として得られることになる。このようなデジタル映像信号もＬＣＤ２０７に対して表示出力させることができる。
【０１８３】
外部インターフェイス２０８は、所定のデータインターフェイスフォーマットにより外部のデバイスとデータ送受信を可能とするためのハードウェアを備えて成る部位である。この外部インターフェイス２０８を経由することで、撮像により得られたデジタル映像信号や、ディスク１から再生したデータなどを、外部機器に出力することができる。また、外部インターフェイス２０８を経由して、外部機器からデータを取り込み、メディアドライブ部２０４に転送して、ディスク１のデータエリア３に記録することができる。また、取り込んだデータに基づいて、ＬＣＤ２０７にて所要の内容が表示されるようにすることもできる。例えば取り込んだデータが画像データであれば、必要に応じて、一旦、カメラ信号処理部２０１にてデコード処理を実行し、ＬＣＤ２０７において画像として表示させることができる。
【０１８４】
続いて、ビデオカメラ装置２０４におけるメディアドライブ部２０４の構成例について、図３２を参照して説明する。メディアドライブ部２０４では、装填されたディスク１のユーザデータエリア３に対して、ユーザデータを記録することができる。また、バーストカッティングエリア２及びデータエリア３に記録されたユーザデータを読み出すことができる。なお、本実施の形態としては、ディスク１のデータエリア２に記録されるユーザデータの種類としては特に限定しないが、ここでは説明を簡単にするために、デジタル映像信号（ビデオデータ）であることとする。
【０１８５】
ディスク１は図示しないターンテーブルに積載され、記録／再生動作時においてスピンドルモータ３０２によって、所定の回転駆動方式により回転駆動される。本実施の形態としては、バーストカッティングエリア２に対する再生を行う場合には、一定角速度ＣＡＶで回転駆動し、データエリア３に対する記録再生を行う場合には、一定線速度（ＣＬＶ）で回転駆動することとしている。
【０１８６】
そして光学ピックアップ（光学ヘッド）３０４によってディスク１上の記録トラックのウォブリング（蛇行）として埋め込まれたＡＤＩＰアドレスやプリレコーデッド情報としての管理／制御情報の読み出しがおこなわれる。
またユーザーデータ記録時には光学ピックアップによってリライタブル領域におけるトラックに、管理／制御情報やユーザーデータが記録され、再生時には光学ピックアップによって記録されたデータの読出が行われる。
【０１８７】
光学ピックアップ３０４内には、レーザ光源となるレーザダイオードや、反射光を検出するためのフォトディテクタ、レーザ光の出力端となる対物レンズ、レーザ光を対物レンズを介してディスク記録面に照射し、またその反射光をフォトディテクタに導く光学系（図示せず）が形成される。
【０１８８】
光学ピックアップ３０４内において対物レンズは二軸機構によってトラッキング方向及びフォーカス方向に移動可能に保持されている。
また光学ピックアップ３０４全体は、個々では図示していないスレッド機構によりディスク半径方向に移動可能とされている。
また光学ピックアップ３０４において、レーザダイオードはレーザドライバからのドライブ信号（ドライブ電流）によってレーザ発光駆動される。
【０１８９】
ディスク１からの反射光情報は光学ピックアップ３０４内のフォトディテクタによって検出され、受光光量に応じた電気信号とされてマトリクスアンプ３０５に出力される。
マトリクスアンプ３０５には、フォトディテクタとしての複数の受光素子からの出力電流に対応して電流電圧変換回路、マトリクス演算／増幅回路等を備え、マトリクス演算処理により必要な信号を生成する。
【０１９０】
光学ピックアップ３０４がディスク１のデータエリア３にアクセスして読み出し動作を実行した場合には、例えば再生データに相当する高周波信号（再生データ信号）、サーボ制御のためのフォーカスエラー信号、トラッキングエラー信号などを生成する。
さらに、トラックのウォブル形状を検出したウォブル信号も生成するようにされる。
なお、マトリクスアンプ３０５は、光学ピックアップ３０４内に一体的に構成される場合もある。
マトリクスアンプ３０５から出力される再生信号は、復調部３１２に入力され、フォーカスエラー信号及びトラッキングエラー信号はサーボ制御部３０３に入力される。
【０１９１】
これに対して、光学ピックアップ３０４がディスク１のバーストカッティングエリア２にアクセスして読み出し動作を実行した場合には、マトリクスアンプ３０５にて得られた再生データ信号は、ローパスフィルタ３０６に対して入力されることになる。また、サーボ制御のためのフォーカスエラー信号、トラッキングエラー信号などは、サーボ制御部３０３に入力される。ただし、バーストカッティングエリア２の再生にあたっては、トラッキングサーボ制御は実行しない場合があり、この場合には、トラッキングエラー信号は不要となる。この場合には、スレッド機構によるメカ的な精度により、バーストカッティングエリア２に対してシークが行われる。
【０１９２】
先ず、バーストカッティングエリア２に対する読み出し動作時として、ローパスフィルタ３０６に入力された再生データ信号は、所定のカットオフ周波数以上の高周波成分が除去されることによって、ノイズによるレベル変動が抑圧される。ローパスフィルタ１１２を通過した再生データ信号は、コンパレータ３０７に入力される。コンパレータ３０７においては、入力信号について所定の閾値レベルと比較することにより２値化を行い、復調部３０８に対して出力する。
【０１９３】
復調部３０８では、水晶発振器３０９から入力されるサンプリングクロックのタイミングに従って、入力された再生データ信号をサンプリングして、チャネル位置補正を施したうえで、予め規定された４−１変調規則に従った復調処理を施す。この際には、例えば図１４又は図２０に示したフレームシンクのパターンを検出することで、フレーム単位での認識が可能となる。また、フレーム内でのチャネルビット位置は、フレームシンクを基準としてチャネルビットのカウントを行うことで認識可能となる。
これにより、例えば図１３又は図２０に示すようなＥＣＣブロック単位のデータ構造が得られることになるが、ＥＣＣ部３１０では、上記復調部３０８かた入力される復調処理後のデータについて、記録時に付加された誤り訂正符号（ＲＳ（２４８，２１６，３３））により誤り訂正処理を施す。これにより、誤り訂正された、バーストカッティングエリア２のデータが得られることになる。つまり、例えばディスクＩＤなどのデータ（ここではＢＣＡデータという）が得られることになる。そして、このようにして得られたＢＣＡデータをレジスタ３１１に対して転送して記憶させる。なお、先のフォーマットの説明からも理解されるように、バーストカッティングエリア２に記録されるＢＣＡデータと、データエリア３に記録されるユーザデータとは、同じ誤り訂正方式を採用していることから、この場合には、ＥＣＣ部７０と、後述するＥＣＣ部３１３とを共用した構成を採ることができる。
【０１９４】
データエリア３に対する読み出しにより得られた再生データ信号が入力される復調部３１２では、再生データ信号に対して２値化処理、ＰＬＬによる再生クロック生成処理等を行い、さらに記録時の記録符号化方式に対応した復調処理を、再生クロックに基づいて実行する。
このようにして再生されたデータには、記録時に付加されたエラー訂正符号を含み形式となっている。そこで、ＥＣＣ部３１３は、復調部３１２から入力された再生データについて、エラー訂正処理を実行する。ここでは、前述もしたように、ＲＳ（２４８，２１６，３３）による符号化としてのエラー訂正処理を実行する。
【０１９５】
本実施の形態において、ディスク１に記録されるデータについては所定の暗号化方式により暗号化が施されているものとされる。そして、ＥＣＣ部３１３によりエラー訂正処理が行われた段階の再生データは、暗号化が解除されていない状態にある。
そこで、暗号解除処理部３１４によって、エラー訂正処理後の再生データについて、暗号化を解除するための処理を実行するようにされる。暗号解除処理部３１４では、暗号化を解除するのにあたり、レジスタ３１１にて保持されている、バーストカッティングエリア２から再生したデータを用いる。つまり、バーストカッティングエリア２には、ディスク１ごとに固有となるディスクＩＤが記録されているものであり、このディスクＩＤを暗号化解除のための鍵として利用して、再生データの暗号化を解除するものである。
暗号解除処理部３１４によって暗号化が解除された再生データは、例えば図３１に示す信号処理部２０１に対して転送される。信号処理部２０１では、前述もしたように、転送されてきた再生データについて、記録時の圧縮方式に対応した復調（解凍）処理を実行するなどして映像信号データを得る。そして、この映像信号データにより、ＬＣＤ２０７に画像表示を行うことができる。また、メディアドライブ部２０４から出力された再生データを、システムバス２２５から外部インターフェイス２０８を経由して転送することで、外部機器側にて記録、表示などをさせることも可能とされる。
【０１９６】
記録時には、例えば、信号処理部２０１、或いは、外部インターフェイス２０８からシステムバス２２５を経由して入力されてきた記録データが、暗号化処理部３１５に対して入力される。
【０１９７】
暗号化処理部３１５では、入力された記録データについて、所定の暗号化方式により暗号化を施すための信号処理を実行する。このときに、暗号化処理部３１５は、レジスタ３１１に保持されているディスクＩＤを読み出して取得し、このディスクＩＤを暗号化鍵として利用して暗号化を施す。
【０１９８】
このようにして、本実施の形態のメディアドライブ部２０４では、前述のようにして、ディスク１のデータエリア３に記録されたユーザデータを読み出して再生する場合と、ディスク１のデータエリア３にユーザデータを記録する場合とで、共に、ディスク１のバーストカッティングエリア２に記録されている、例えばディスクＩＤなどの情報を暗号化鍵、及び復号鍵として利用するようにされている。
これにより、或る１つのディスク１に記録されたデータを、他のディスク１にコピーしたとしても、他のディスクからデータ再生を行う場合には、暗号化鍵と復号鍵が異なることになるので、適正に再生することはできなくなる。このようにして不正なコピーが防止されることになる。
また、ディスク１へのデータ記録又はデータ再生に際しては、レジスタ３１１にバーストカッティングエリア２から読み出したデータが保持されている必要がある。従って、メディアドライブ部２０４の動作として、ディスク１が装填されたときには、ユーザデータの記録再生を開始する前段階において、バーストカッティングエリア２に対してアクセスしてデータの読み出しを実行して、レジスタ１１１にデータを保持させるようにしておく必要があることになる。
【０１９９】
暗号化処理部３１５により暗号化が施されたデータは、ＥＣＣ部３１６に転送される。
ＥＣＣ部３１６では、転送されてきたデータについてエラー訂正符号を付加してＥＣＣブロック（エラー訂正ブロック）単位を形成する。なお、このＥＣＣ部３１６によっては、ユーザデータについて、例えば、先に図１９により示したＥＣＣブロック単位を形成することになる。つまり、暗号化されたデータについて、ＲＳ（２４８，２１６，３３）による符号化を施すものである。
【０２００】
ＥＣＣ部３１６から出力されたデータは、変調部３１７に入力される。変調部３１７では、入力されたデータについて、所定の記録符号化方式に従って変調を行う。なお、ユーザデータについての記録符号化方式（変調方式）は、４−１変調方式とは異なり、ユーザデータの記録により適合した所定の方式が採用される。
【０２０１】
変調部３１７にてユーザデータを変調することにより得られた記録データは、光学ピックアップ３０４に対して入力される。光学ピックアップ３０４はドライブコントローラ３０１のコントロールに応じたサーボ制御部３０３の制御によって、データエリア３における所要のアドレスにアクセスするようにされ、アクセス位置に対して、入力された記録データに応じて、記録用のレーザパワーが設定されたレーザダイオードを発光駆動させてレーザ光を照射する。これにより、ディスク１のデータエリア３に対してデータが記録されることになる。
【０２０２】
サーボ制御部３０３は、マトリクスアンプ３０５にて生成されたフォーカスエラー信号、トラッキングエラー信号から、フォーカス、トラッキング、スレッドの各種サーボドライブ信号を生成しサーボ動作を実行させる。
即ちフォーカスエラー信号、トラッキングエラー信号に応じてフォーカスドライブ信号、トラッキングドライブ信号を生成し、光学ピックアップ３０４内の二軸機構のフォーカスコイル、トラッキングコイルを駆動することになる。これによって光学ピックアップ３０４、マトリクスアンプ３０５、サーボ制御部３０３、二軸機構によるトラッキングサーボループ及びフォーカスサーボループが形成される。
【０２０３】
またサーボ制御部３０３は、ドライブコントローラ３０１からのトラックジャンプ指令に応じて、トラッキングサーボループをオフとし、ジャンプドライブ信号を出力することで、トラックジャンプ動作を実行させる。
【０２０４】
またサーボ制御部３０３は、トラッキングエラー信号の低域成分として得られるスレッドエラー信号や、ドライブコントローラ３０１からのアクセス実行制御などに基づいてスレッドドライブ信号を生成し、スレッド機構を駆動する。図示していないが、スレッド機構は、光学ピックアップ３０４を保持するメインシャフト、スレッドモータ、伝達ギア等による機構を有し、スレッドドライブ信号に応じてスレッドモータを駆動することで、光学ピックアップ３０４をディスク半径方向に沿ってスライド移動させることができる。
【０２０５】
また、サーボ制御部３０３は、スピンドルモータ３０２をＣＡＶ、又はＣＬＶにより回転駆動する制御を行う。
サーボ制御部３０３は、ディスクのトラックに対して蛇行形状として記録されたウォブルを検出して得られるウォブル信号に対するＰＬＬ処理で生成されるクロックを、現在のスピンドルモータ３０２の回転速度情報として得て、これを所定のＣＬＶ基準速度情報、又はＣＡＶ速度基準情報と比較することで、スピンドルエラー信号を生成する。
またデータ再生時においては、復調部３１２のＰＬＬによって生成される再生クロック（デコード処理の基準となるクロック）が、現在のスピンドルモータ３０２の回転速度情報となるため、これを所定のＣＬＶ基準速度情報、又はＣＡＶ速度基準情報と比較することでスピンドルエラー信号を生成することもできる。
そしてサーボ制御部３０３は、スピンドルエラー信号に応じて生成したスピンドルドライブ信号を出力し、スピンドルモータ３０２の回転駆動を行う。
またサーボ制御部３０３は、ドライブコントローラ３０１からのスピンドルキック／ブレーキ制御信号に応じてスピンドルドライブ信号を発生させ、スピンドルモータ２の起動、停止、加速、減速などの動作も実行させる。
【０２０６】
以上のようなサーボ系及び記録再生系の各種動作はマイクロコンピュータによって形成されたドライブコントローラ３０１により制御される。
ドライブコントローラ３０１は、例えばビデオカメラ装置のカメラコントローラ２０２内のＣＰＵ２２１とシステムバス２１５を経由して通信可能とされており、ＣＰＵ２２１からの指示に応じて各種処理を実行可能にもされている。例えば、ＣＰＵ２２１からのライトコマンドや、リードコマンドなどに応じて、ドライブコントローラ３０１は、これまでに説明したディスク１のデータエリア３に対するユーザデータの記録又は再生動作が実行されるように制御を行うようにされる。
【０２０７】
次に、図３３を参照して、メディアドライブ部２０４におけるデータ記録時の動作の手順について説明する。
光ディスク１がメディアドライブ部２０４に装着されると、先ず、ステップＳ２０１の手順として示すように、バーストカッティングエリア２に対する再生を実行する。
【０２０８】
このバーストカッティングエリア２に対する再生の手順は、図３４に示される。なお、この図に示す手順は、バーストカッティングエリア２に記録されている情報種別がディスクＩＤのみである場合を例に挙げている。
ここでは先ず、ステップＳ３０１としての手順により、サーボ制御部３０３を制御して、スピンドルモータ３０２を一定角速度（ＣＡＶ）により回転駆動させる。なお、このときの回転速度は、先に図２９に示したバーストカッティングエリア記録装置が、ディスク１を回転駆動したときの速度と同一とされる。
【０２０９】
次のステップＳ３０２の手順としては、ドライブコントローラ３０１がサーボ制御部６３をコントロールして、光学ピックアップ３０４をディスク１のバーストカッティングエリア２にアクセスさせ、少なくともフォーカスサーボをかけた状態で、バーストカッティングエリア２に記録されているデータの読み出しを実行させる。
【０２１０】
バーストカッティングエリア２から記録された信号は、ステップＳ３０３としての手順により復調される。つまり、光学ピックアップ３０４にて検出され、マトリクスアンプ３０５から出力された再生信号は、ローパスフィルタ１１２、コンパレータ３０７を介して２値化された後、復調部３０８により４−１変調に対応した復調処理が実行される。ここでの復調処理は、先に第１の実施の形態、又は第２の実施の形態として説明した４−１変調規則の何れかに対応したものとなる。また、フレームシンクの検出処理も、第１の実施の形態、又は第２の実施の形態として説明したフレームシンク（図１４又は図２０）としてのパターンを検出するようにされる。また、フレームごとのデータエリアにおけるチャネルビットの認識は、フレームシンクを基準としてチャネルビットのカウントを行うことで可能となる。
例えば第１の実施の形態の場合であれば、１バイト（８ビット）は、４ワードであり、１ワードは５チャネルビットであるから、４−１変調データの２０チャネルビット＝１バイトであることになる。図１３に示したように、１フレーム内のデータエリアは４バイトであるから、２０チャネルビット×４＝８０チャネルビットである。従って、フレームシンクを基準として、この８０チャネルビットをカウントすることで、フレーム内のチャネルビット位置を認識できることになり、チャネルビット位置が認識されれば、４−１変調に対応して復調処理を行うことも可能となる。
つまり、チャネルビットカウントにより、５チャネルビットごとに区切ることでワード単位で区切ることができる。そして、ワード単位における先頭４チャネルビットのマークパターンを、２データビットに逆変換していくことで、復調が行われることになる。
なお、第２の実施の形態の復調処理としては、上記した第１の実施の形態の説明から理解されることであるので、ここでの説明は省略する。
【０２１１】
そして、次のステップＳ３０４により、エラー訂正処理がＥＣＣ部３１０により実行される。このときには、ＢＣＡコードが図１３に示したものであれば、合計４ブロック分の復調データに誤り訂正処理を施すことになる。また、ＢＣＡコードが図２０に示したものであれば、合計３ブロック分の復調データに誤り訂正処理を施すことになる。また、この際には、各ブロック毎に図１６を参照して説明した２００バイトの固定データを用いて、また、３２バイトのパリティのうち、後半の１６バイトのパリティは消失したものとして、ポインタイレージャ処理によりエラー訂正処理を実行することになる。
【０２１２】
次のステップＳ３０５の手順によっては、例えばドライブコントローラ３０１が、誤り訂正処理されたブロックのヘッダを読み取る。ヘッダには、図１８を参照して説明したように、６ビットのアプリケーションＩＤが格納されている。ドライブコントローラ３０１は、ヘッダからアプリケーションＩＤを抽出し、次のステップＳ３０６により、自分自身が利用可能なアプリケーションＩＤであるか否かを判別する。
【０２１３】
ステップＳ３０６において、アプリケーションＩＤが、自分自身が利用可能なアプリケーションＩＤではないと判別した場合には、ディスク１に対してデータを記録再生することが禁止される。そこで、この場合にはステップＳ３１２の手順として、エラー処理を実行する。例えば、このエラー処理として、自分自身が利用可能なアプリケーションＩＤではないことを、カメラコントローラ２０２に通知するようにされる。これに応じて、カメラコントローラ２０２のＣＰＵ２２１は、例えば「このディスクは使用できません。」などのエラーメッセージをＬＣＤ２０７に表示させるための制御を実行する。
これに対して、ステップＳ３０６により、自分自身が利用可能なアプリケーションＩＤであると判別した場合には、ステップＳ３０７以降の手順に進む。
【０２１４】
ステップＳ３０７では、例えばＢＣＡコードが複数のブロックにより形成されていた場合において、自身が利用可能なアプリケーションＩＤが記述されているブロックを選択する。そのうえで、次のステップＳ３０８においては、自身が利用可能なアプリケーションＩＤを有するヘッダに記述されるブロック番号についても参照することで、同一内容を複数のブロックに記録した、いわゆる多重書きがされているか否かについて判別する。多重書きされていると判別した場合には一旦、ステップＳ３０９の手順を踏み、ここで、多重書きされているブロックのうち１つのブロックを選択する。例えば、ステップＳ３０７の処理で選択したブロックのうちで、誤り訂正ができないブロックが存在するような場合には、多重書きにより同一のデータ内容を有する他のブロックのうちで、誤り訂正が正常に行われたブロックを１つ選択することになる。ステップＳ３０９としての手順を実行するとステップＳ３１０に進む。
これに対して、ステップＳ３０８において、多重書きされていないと判別した場合には、ステップＳ３０９の処理をスキップして、ステップＳ３１０の手順に移行する。この場合には、ステップＳ３０７により選択した１つのブロックのみが読み取り対象となる。
【０２１５】
ステップＳ３１０においては、ステップＳ３０７又はステップＳ３０９にて選択したブロックから、ディスクＩＤを抽出する。つまり、図１７に示すデータの構造から、コンテンツデータ（Ｃｏｎｔｅｎｔ  Ｄａｔａ）を抽出することになる。そして、この抽出したディスクＩＤを、ステップＳ３１１としての手順により、レジスタに格納する。
【０２１６】
説明を図３３に戻す。
バーストカッティングエリア２に対する再生は、ディスク１を一定角速度（ＣＡＶ）により回転駆動させるのであるが、データエリアに対する記録再生は、ディスク１を一定線速度（ＣＬＶ）により回転駆動させる。そこで、ステップＳ２０１とししてのＢＣＡ再生処理が終了した後は、ステップＳ２０２の手順として示すように、改めて、ディスク１を、ＣＬＶ方式により回転駆動させることを行う。
また、これと共に、次のステップＳ２０３として示すように、ドライブコントローラ３０１は、レジスタ３１１からディスクＩＤの情報を読み込んで取得する。
【０２１７】
そして、次のステップＳ２０４としての手順よっては、入力されてくる記録データについて、暗号化処理部３１５によって暗号化を施す。この際には、先のステップＳ２０３により取得したディスクＩＤを暗号化鍵として用いる。
暗号化された記録データは、続くステップＳ２０５によって、ＥＣＣ部３１６において誤り訂正符号化処理が実行され、さらに次のステップＳ２０６によって、この暗号化された記録データを、所定の記録符号化方式に従って変調するための処理が実行される。
そして、このようにして記録符号化変調された記録データを、光学ピックアップ３０４に転送し、レーザパワーについては記録用パワーを設定する。これにより、光学ピックアップ３０４では、記録データに応じて発光制御される記録用パワーのレーザ光をディスク１のデータエリアとしての信号記録面に照射することとなる。つまり、ユーザデータの記録が行われる。
【０２１８】
続いては、メディアドライブ部２０４による、ユーザデータの再生処理手順について、図３５のフローチャートを参照して説明する。
ここで、例えばディスク１が装填される。あるいは、再生を開始するためのコマンドが発生したとされると、ステップＳ４０１として示すように、バーストカッティングエリア２に対する再生処理が実行される。なお、このバーストカッティングエリア２に対する再生処理は、図３４に示したフローチャートと同様の手順となるので、ここでの説明は省略する。
ただし、例えば、現在装填されているディスク１についてのバーストカッティングエリア２に対する読み出しが既に実行されたことで、レジスタ７１にディスクＩＤが既に保持されている場合には、ステップＳ４０１としての処理は省略することが可能である。但し、再生コマンドなどと共に要求されたアプリケーションＩＤが異なるような場合には、再度実行される。
【０２１９】
バーストカッティングエリア２に対する再生処理が完了すると、ステップＳ４０２としての処理により、データエリア３からデータを読み出すための処理を実行することになる。
つまり、ドライブコントローラ３０１は、サーボ制御部３０３を制御してディスク１をＣＬＶ方式により回転駆動させた上で、データエリア３における所要のアドレスにアクセスさせ、光学ピックアップ３０４によるデータの読み出しを実行させる。光学ピックアップ３０４により読み出された信号は、マトリクスアンプ３０５に入力されることで、再生データ信号が得られる。この再生データ信号は、復調部３１２に出力される。
【０２２０】
次のステップＳ４０３としての手順は、上記のようにして、読み出された再生データ信号について、復調部３１２により復調処理を施すものとなる。そして、復調処理が施された再生データ信号は、ステップＳ４０４としての手順により、ＥＣＣ部３１３によって誤り訂正が行われる。なお、この場合の誤り訂正処理には、ＲＳ（２４８，２１６，３３）を用いることになる。
【０２２１】
次のステップＳ４０５は、暗号解除処理部３１４の動作として、レジスタ３１１に保持されているディスクＩＤを読み込むための手順となる。そして、次のステップＳ４０６において、上記ディスクＩＤを暗号解除鍵として利用して、再生データの暗号化を解除（暗号化復号）するための処理を実行する。このようにして暗号化が解除されたデータが再生データとして、例えばカメラ信号処理部２０１に出力される。あるいは、外部インターフェイス２０８を介して外部に出力される。
【０２２２】
また、本発明としてはこれまでに説明した実施の形態としての構成に限定されるものではない。例えば本発明が対応する記録媒体としては、光学ディスク状記録媒体として、例えば光磁気ディスクにも適用できる。さらには、光学ディスク状記録媒体以外の媒体として、磁気ディスクなどにも適用することが考えられる。
また、記録再生装置の実際としては、ビデオカメラ装置としているが、これはあくまでも一例であって、単なるディスクドライブや、他の各種のディスク記録再生装置、及びこのようなディスク記録再生装置を備える各種の電子機器に適用可能である。
【０２２３】
【発明の効果】
以上説明したようにして本発明によっては、４−１変調により記録媒体に対して記録されるべきデータとしては、２データビットの論理値に応じたマークパターンによる４チャネルビットのデータ部と１チャネルビットのギャップ部とから成る５チャネルビットによりワード単位を形成することとしている。あるいは、４チャネルビットのデータ部のみから成るワード単位（但し、この場合には、チャネルビットに対するマークデューティ比が１００％未満の所定値を有するものとされる）を形成することとしている。
これにより、本発明では、例えば４−１変調として、３チャネルビットの同期パターンと４チャネルビットのデータ部との７チャネルビットによりワード単位を形成する場合と比較して、符号化効率が向上されることになる。つまり、記録密度が高められることとなる。
これにより、例えば一定の物理的な記録容量に対しては、より多くの情報を記録することができ、また、一定量のソースデータを記録する場合には、より少ない物理的記録容量で済むこととなる。
そして本発明としては、所要の内容のデータを４−１変調して記録し、また、このようにして記録された４−１変調データを再生可能に構成しており、これにより、本発明により得られる４−１変調データを利用可能な環境が提供できる。
【図面の簡単な説明】
【図１】本発明の実施の形態としてのディスクのエリア構成を示す図である。
【図２】先行技術としての４−１変調パターンを示す図である。
【図３】先行技術としての４−１変調規則において規定されるフレームシンクの例を示す図である。
【図４】先行技術としての４−１変調規則において規定されるフレームシンクの例を示す図である。
【図５】第１の実施の形態に対応する４−１変調パターンを示す図である。
【図６】第１の実施の形態に対応する４−１変調パターンから再生チャネルビットを検出した結果を示すタイミングチャートである。
【図７】第１の実施の形態に対応する４−１変調パターンから再生チャネルビットを検出した結果を示すタイミングチャートである。
【図８】マークが連続する４−１変調パターンから再生チャネルビットを検出した結果を示すタイミングチャートである。
【図９】マークが連続する４−１変調パターンから再生チャネルビットを検出した結果を示すタイミングチャートである。
【図１０】第１の実施の形態による４−１変調パターンの通常のデータ列において、最小密度となるマークパターンと、最大密度となるマークパターンとを示す図である。
【図１１】第１の実施の形態の４−１変調規則に対応するフレームシンクを示す図である。
【図１２】第１の実施の形態の４−１変調規則に対応するフレームシンクを示す図である。
【図１３】実施の形態においてバーストカッティングエリアに記録されるＢＣＡコードの構造を示す図である。
【図１４】図１３に示すＢＣＡコードの構造において規定されるフレームシンクのパターンを示す図である。
【図１５】実施の形態のディスクのデータエリアに記録されるデータ構造として、ＥＣＣブロックの構造を示す図である。
【図１６】実施の形態のディスクのバーストカッティングエリアに記録されるデータ構造として、ＥＣＣブロックの構造を示す図である。
【図１７】実施の形態のディスクに記録されるユーザデータの構造を示す図である。
【図１８】ＢＣＡコンテンツコードの構造を示す図である。
【図１９】データエリアに記録されるデータのエラー訂正ブロックの構造を示す図である。
【図２０】実施の形態においてバーストカッティングエリアに記録されるＢＣＡコードの構造の他の例を示す図である。
【図２１】図２０に示すＢＣＡコードの構造において規定されるフレームシンクのパターンを示す図である。
【図２２】マークのチャネルビットに対するデューティ比を１００％未満とた場合における、４−１変調パターンから再生チャネルビットを検出した結果を示すタイミングチャートである。
【図２３】マークのチャネルビットに対するデューティ比を１００％未満とた場合における、４−１変調パターンから再生チャネルビットを検出した結果を示すタイミングチャートである。
【図２４】第２の実施の形態としての４−１変調パターンを示す図である。
【図２５】第２の実施の形態による４−１変調パターンの通常のデータ列において、最小密度となるマークパターンと、最大密度となるマークパターンとを示す図である。
【図２６】第２の実施の形態の４−１変調規則に対応するフレームシンクを示す図である。
【図２７】第２の実施の形態の４−１変調規則に対応するフレームシンクを示す図である。
【図２８】チャネルビットに対するマークデューティ比と、ワードの物理長との関係を示す図である。
【図２９】ＢＣＡ記録装置の構成例を示すブロック図である。
【図３０】バーストカッティングエリアを記録するための手順を示すフローチャートである。
【図３１】実施の形態の再生装置であるビデオカメラ装置の構成例を示すブロック図である。
【図３２】ビデオカメラ装置において、実施の形態のディスクに対応するメディアドライブ部の構成例を示すブロック図である。
【図３３】メディアドライブ部によるユーザデータ記録のための手順を示すブロック図である。
【図３４】メディアドライブ部によるバーストカッティングエリア再生のための手順を示すブロック図である。
【図３５】メディアドライブ部によるユーザデータ再生のための手順を示すブロック図である。
【符号の説明】
１  ディスク、２  バーストカッティングエリア、３  データエリア、１００ＥＣＣ回路、１０１  レジスタ、１０２  ４−１変調部、１０３  レーザ、１０４  ミラー、１０５  対物レンズ、１０７  スピンドルモータ、１０８  スピンドルサーボ制御部、１０９コントローラ、１１０  分周器、１１１  位相比較器、１１２  ローパスフィルタ、１１３  ＶＣＯ、２００  カメラ部、２０１カメラ信号処理部、２０２  カメラコントローラ、２０３  ＳＤＲＡＭ、２０４  メディアドライブ部、２０５  操作部、２０６  ＬＣＤコントローラ、２０７  ＬＣＤ、２０８  外部インターフェイス、２１１  光学ブロック、２１２  ＣＣＤ、２１３  前処理回路、２１４  光学ドライバ、２１５  ＣＣＤドライバ、２１６  タイミング生成回路、２２１  ＣＰＵ、２２２  ＲＡＭ、２２３  ＲＯＭ、２２４  時計回路、２２５  システムバス、３０１  ＣＰＵ、３０２  スピンドルモータ、３０３  サーボ制御部、３０４  光学ピックアップ、３０５  マトリクスアンプ、３０６  ローパスフィルタ、３０７  コンパレータ、３０８  復調部、３０９  水晶発振器、３１０  ＥＣＣ部、３１１  レジスタ、３１２  復調部、３１３  ＥＣＣ部、３１４  暗号解除処理部
【図１】
2004362649.tif 000003
【図２】
2004362649.tif 000004
【図３】
2004362649.tif 000005
【図４】
2004362649.tif 000006
【図５】
2004362649.tif 000007
【図６】
2004362649.tif 000008
【図７】
2004362649.tif 000009
【図８】
2004362649.tif 000010
【図９】
2004362649.tif 000011
【図１０】
2004362649.tif 000012
【図１１】
2004362649.tif 000013
【図１２】
2004362649.tif 000014
【図１３】
2004362649.tif 000015
【図１４】
2004362649.tif 000016
【図１５】
2004362649.tif 000017
【図１６】
2004362649.tif 000018
【図１７】
2004362649.tif 000019
【図１８】
2004362649.tif 000020
【図１９】
2004362649.tif 000021
【図２０】
2004362649.tif 000022
【図２１】
2004362649.tif 000023
【図２２】
2004362649.tif 000024
【図２３】
2004362649.tif 000025
【図２４】
2004362649.tif 000026
【図２５】
2004362649.tif 000027
【図２６】
2004362649.tif 000028
【図２７】
2004362649.tif 000029
【図２８】
2004362649.tif 000030
【図２９】
2004362649.tif 000031
【図３０】
2004362649.tif 000032
【図３１】
2004362649.tif 000033
【図３２】
2004362649.tif 000034
【図３３】
2004362649.tif 000035
【図３４】
2004362649.tif 000036
【図３５】
2004362649.tif 000037